【事件の表示】
　特願２００６−１７５０１２「高圧負荷演算制御方法及び装置」拒絶査定不服審判事件〔平成１８年１２月２１日出願公開、特開２００６−３４３３４１〕について、次のとおり審決する。
【結　論】
　本件審判の請求は、成り立たない。
【理　由】
１．手続の経緯
　
　本願は、平成１７年６月８日に出願した特願２００５−１６７７７４号（以下、「本願の原出願」という。）の一部を平成１８年６月２６日に新たな特許出願としたものであって、平成２１年９月１５日付けで手続補正（以下、「補正１」という。）がなされ、平成２１年１０月９日付け（送達日：平成２１年１０月２０日）で拒絶査定がなされ、これに対し、平成２２年１月２０日に拒絶査定不服審判の請求がなされるとともに、同時に手続補正（以下、「本件補正」という。）がなされたものである。
　
　その後、当審より平成２２年１２月９日付け審尋書により審尋をしたところ、請求人より平成２３年２月１４日付け回答書の提出があった。
　
２．本件補正についての補正却下の決定
　
［補正却下の決定の結論］
　
　本件補正を却下する。
　
［理由］
　
（１）補正の内容
ア　本件補正のうち、特許請求の範囲の請求項１についてした補正は、次のとおりである。
　
（本件補正前）
「発電機の負荷特性試験に関して、抵抗体バンク群を複数に分割するに際し、全抵抗体の電力容量を比較演算より上位から下位等級に順次漸減算出された各抵抗体バンクに分割、割り当てし、設定目標とする値の近似値をとるため上位から下位等級に亙り順次前記各抵抗体バンクのＯＮ／ＯＦＦの組合せを自動的に調整して加減算することにより、変動する負荷制御値を連続的に追従調整する高圧負荷演算制御方法であって、
　まず、電源装置に電力ケーブルを介して並列接続された前記抵抗体バンク群を複数（２〜Ｎ［Ｎは自然数］）に分割した後、当該抵抗体バンク群の全最大電力容量を２進法に基づき、２分の１から２ｎ−１分の１に相当する電力容量の上位から下位等級に順次漸減算出された値を分割された第１から第Ｎの各抵抗体バンクに割り当て、
　次に、前記各抵抗体バンクに接続された制御手段で、目標値とする負荷制御値を設定後、当該制御手段内の比較演算転送回路内の第１の演算手段にて、当該第１の演算手段に対応する第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持するとともに第２の演算手段に残数値をアナログ転送し、前記第１の抵抗体バンクにＯＮ状態を示すディジタル信号を転送する一方、当該負荷制御値が当該電力容量以下であれば、当該負荷制御値を第２の演算手段にアナログ転送し、　
　以下、前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し次下位等級の演算手段に当該下位残数値をアナログ転送するとともに、当該各第２から第Ｎの演算手段に各対応した前記抵抗体バンクに対し、ＯＮ状態を示すディジタル信号を転送する一方、前記次上位等級から受け取った前記残数値又は前記負荷制御値が前記下位等級の抵抗体バンクの前記電力容量以下であれば、当該次上位等級から残数値を次下位等級残数値として次下位等級の演算手段にアナログ転送して逐次実施し、
　高圧負荷状態において、開閉頻度の高い抵抗体バンクに対し、変圧手段を用いて低圧に変換するとともに、低圧抵抗体バンク群内の特に小容量の抵抗体バンクに半導体開閉手段を介することにより、抵抗体バンクの負荷を軽減させる、
　ことを特徴とする、高圧負荷演算制御方法。」
　
（本件補正後）　
「発電機の負荷特性試験に関して、抵抗体バンク群を複数に分割するに際し、全抵抗体の電力容量を比較演算より上位から下位等級に順次漸減算出された各抵抗体バンクに分割、割り当てし、設定目標とする値の近似値をとるため上位から下位等級に亙り順次前記各抵抗体バンクのＯＮ／ＯＦＦの組合せを自動的に調整して加減算することにより、
抵抗体バンクの収束にて
　まず、電源装置に電力ケーブルを介して並列接続された前記抵抗体バンク群を複数（２〜Ｎ［Ｎは自然数］）に分割した後、当該抵抗体バンク群の全最大電力容量を２進法に基づき、２分の１から２ｎ−１分の１に相当する電力容量の上位から下位等級に順次漸減算出された値を分割された第１から第Ｎの各抵抗体バンクに割り当て、
　次に、前記各抵抗体バンクに接続された制御手段で、目標値とする負荷制御値を設定後、当該制御手段内の比較演算転送回路内の第１の演算手段にて、当該第１の演算手段に対応する第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持するとともに第２の演算手段に残数値をアナログ転送し、前記第１の抵抗体バンクにＯＮ状態を示すディジタル信号を転送する一方、当該負荷制御値が当該電力容量以下であれば、当該負荷制御値を第２の演算手段にアナログ転送し、
　以下、前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し次下位等級の演算手段に当該下位残数値をアナログ転送するとともに、当該各第２から第Ｎの演算手段に各対応した前記抵抗体バンクに対し、ＯＮ状態を示すディジタル信号を転送する一方、前記次上位等級から受け取った前記残数値又は前記負荷制御値が前記次下位等級の抵抗体バンクの前記電力容量以下であれば、当該次上位等
級残
送するとともに
前記制御手段にて、負荷試験中に目標値とする負荷制御値と現在の負荷制御値との比較を行いつつ、前記第１から第Ｎまでの演算を逐次繰り返すことにより、高精度な負荷制御値を維持し、
　高圧負荷状態において、開閉頻度の高い抵抗体バンクに対し、変圧手段を用いて低圧に変換するとともに、低圧抵抗体バンク群内の特に小容量の抵抗体バンクに半導体開閉手段を介することにより、抵抗体バンクの負荷を軽減させる、
　ことを特徴とする、高圧負荷演算制御方法。」（下線は、補正箇所を明示するために請求人が付した。）
　
イ　また、本件補正のうち、特許請求の範囲の請求項５についてした補正は、次のとおりである。
　
（本件補正前）　
「発電機の負荷特性試験に関して、抵抗体バンク群を複数に分割するに際し、全抵抗体の電力容量を比較演算で上位から下位等級に順次漸減算出された各抵抗体バンクに分割、割り当てし、設定目標とする負荷制御値の近似値をとるため上位から下位等級に亙り順次前記各抵抗体バンクのＯＮ／ＯＦＦの組合せを自動的に選択して加減算出することにより、変動する負荷制御値を連続的に追従調整する高圧負荷演算制御装置であって、
　電源装置に接続した電力ケーブル端に並列接続した抵抗体バンクを２以上（２〜Ｎ［Ｎは自然数］）に分割するため、当該抵抗体バンク群の全電力容量を上位から下位等級に順次漸減算出して分割割り当てした複数の抵抗体バンクと、
　当該抵抗体バンク群の各抵抗体バンクそれぞれに介接し、当該各抵抗体バンクのＯＮ／ＯＦＦの切換を行う開閉器と、
　設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクと前記電力容量との比較、減算を行う第１から第Ｎに亙る逐次演算を実行するとともに、当該演算にて算出されたディジタル信号を各対応する前記開閉器に転送して開閉実行する比較演算転送回路とを有する制御器と、
　前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチと、を具備し、
　高圧負荷環境下において、前記抵抗体バンク群内の下位電力容量を保持する複数の前記各抵抗体バンクに変圧器を介設し、当該変圧器を介設した当該核抵抗体バンクを低圧抵抗体バンク群とするとともに、当該低圧抵抗体バンク群のそれぞれの当該各抵抗体バンクに半導体開閉器を介設可能とする、
　ことを特徴とする、高圧負荷演算制御装置。」
　
（本件補正後）
「発電機の負荷特性試験に関して、抵抗体バンク群を複数に分割するに際し、全抵抗体の電力容量を比較演算で上位から下位等級に順次漸減算出された各抵抗体バンクに分割、割り当てし、設定目標とする負荷制御値の近似値をとるため上位から下位等級に亙り順次前記各抵抗体バンクのＯＮ／ＯＦＦの組合せを自動的に選択して加減算出することにより、
抵抗体バンクの収束にて
　電源装置に接続した電力ケーブル端に並列接続した抵抗体バンクを２以上（２〜Ｎ［Ｎは自然数］）に分割するため、当該抵抗体バンク群の全電力容量を上位から下位等級に順次漸減算出して分割割り当てした複数の抵抗体バンクと、
　当該抵抗体バンク群の各抵抗体バンクそれぞれに介接し、当該各抵抗体バンクのＯＮ／ＯＦＦの切換を行う開閉器と、
　設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンク
の
を自動的に繰り返し
演算を逐次
　前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチと、を具備し、
　高圧負荷環境下において、前記抵抗体バンク群内の下位電力容量を保持する複数の前記各抵抗体バンクに変圧器を介設し、当該変圧器を介設した当該各抵抗体バンクを低圧抵抗体バンク群とするとともに、当該低圧抵抗体バンク群のそれぞれの当該各抵抗体バンクに半導体開閉器を介設可能とする、
　ことを特徴とする、高圧負荷演算制御装置。」（下線は、補正箇所を明示するために請求人が付した。）
　
（２）新規事項違反について
　本件補正により、請求項１に係る発明は、「
抵抗体バンクの収束にて
前記制御手段にて、負荷試験中に目標値とする負荷制御値と現在の負荷制御値との比較を行いつつ、前記第１から第Ｎまでの演算を逐次繰り返すことにより、高精度な負荷制御値を維持
　
ア　当初明細書等の記載事項
　本件補正により導入された上記技術事項に関して、本願の願書に最初に添付した明細書、特許請求の範囲及び図面（以下、「当初明細書等」という。）には、その発明の詳細な説明の発明が解決しようとする課題に、次のとおり記載されている。
　
（ア）「【００１６】
　また、５００ｋｗのバンクに常温でスイッチを入れると金属抵抗体の温度係数により時間の経過とともに収束するという特徴があり、温度係数を仮に５％とした場合に、投入初期値が５２５ｋｗを示していたとしても、時間の経過とともに、５００ｋｗに収束するため、目標値に応じた組合せを数式上で算出し実行しても数分後には値が変化するため、後に追従調整を繰り返し行ったとしても実質的には目標値を持続することが不可能となる。
【００１７】
　さらに、試験運転の現場環境での調整を行うにはスライドトランス付近で調整を行う作業員と、負荷装置の操作を行う作業員の配置が必要になるが、ディーゼルエンジン駆動下では１２０ｄＢもの騒音が発生しているため、作業員同士の目標値の伝達が大変聞き取りづらいものとなり誤操作を引き起こす原因ともなる。」（段落【００１６】〜【００１７】）
　
（イ）「【００２１】
　ここにおいて、本発明の解決すべき主要な目的は、次の通りである。
【００２２】
　即ち、本発明の第１の目的は、工業用水を使用せずに負荷制御値に連続的に精度よく追従し、その値を持続できる高圧負荷演算制御方法及び装置を提供せんとするものである。
【００２３】
　本発明の第２の目的は、少量の開閉器のみで連続的に負荷を精度よく加減でき、また開閉器数の減少により製造コストを下げ、整備性を向上させる高圧負荷演算制御方法及び装置を提供せんとするものである。
【００２４】
　本発明第３の目的は、負荷制御値算出を自動化で行うことにより、人手によるバンクの組合せ計算から解放できる高圧負荷演算制御方法及び装置を提供せんとするものである。」（段落【００２１】〜【００２４】）
　
　当初明細書等の発明の詳細な説明の課題を解決するための手段には、次のとおり記載されている。
　
（ウ）「【００２６】
　本発明装置は、上記課題の解決に当たり、電源装置とを結ぶ電力ケーブルの途中に、電力計、地絡継電器、電圧計、電力計、電流計、主遮断機を具備させた負荷装置に接続する抵抗体バンクを複数（２〜Ｎ）に分割し、抵抗体バンク群の最大電力容量を２進数に基づき２分の１から２ｎ−１分の１に等級分割した電力容量を割り当て保持させた各抵抗体バンクに開閉器と制御器を介設し、当該制御器内には、負荷制御値を保持する制御値記憶演算回路と各等級の抵抗体バンクの電力容量値と上位等級で既に差引された負荷制御値を比較し、各抵抗体バンクに介設した開閉器に対してＯＮ／ＯＦＦ信号を転送する比較演算転送回路とを具備させる、高圧負荷演算制御手段を講じる特徴を有する。
【００２７】
　また、本発明方法は、負荷加減装置における抵抗体バンクを複数（２〜Ｎ）に等級分割しその抵抗体バンク群の全最大電力容量を２進数に基づいて２分の１から２ｎ−１分の１まで等級分割したものを、それぞれの抵抗体バンクに割り当て、制御値記憶演算回路よって設定された目標とする負荷制御値と各等級の抵抗体バンクに割り振られた電力容量値を比較演算転送回路によって比較及び等級毎に減算しながら、負荷制御値の近似値を示す各抵抗体バンクＯＮ／ＯＦＦの組合せを導き出す高圧負荷演算制御方法を講じる特徴を有する。」（段落【００２６】〜【００２７】）
　
  当初明細書等の発明の詳細な説明の発明の効果には、次のとおり記載されている。
　
（エ）「【００３７】
　本発明によれば、抵抗体バンクと比較転送演算回路を有する制御器の組合せにより、少数の開閉器で連続かつ高精度な負荷の加減が可能となる。
【００３８】
　また、バンクの組合せの選択自動化により、負荷制御値設定の高精度化と時間短縮化が可能となるため、操作時間の短縮を図ることが可能となる。
【００３９】
　さらに、自動化により、デジタル電力計を見ながらの押釦スイッチ操作以外作業員が選択組合せ操作を行う必要がなくなるため、人為的ミス等の誤操作も解消されるという優れた効果を奏する。」（段落【００３７】〜【００３９】）
　
　当初明細書等の発明の詳細な説明の発明を実施するための最良の形態には、次のとおり記載されている。
　
（オ）「【００４０】
　以下、本発明の最良形態である高圧負荷演算制御装置例及びこれに対応する高圧負荷演算制御方法につき順に説明する。」（段落【００４０】）
　
（カ）「【００５０】
　次に、図２を使用して、図１の抵抗体バンク群を負荷装置として電源装置に接続した高圧負荷演算制御装置の構成例を説明する。
　【００５１】
　図２は、高圧負荷装置γ１に対して高圧抵抗体バンク群αＨを接続した場合の構成図であり、開閉器と遮断器に関しては高圧に耐えうる高圧用として高圧開閉器ＣＨと高圧用主遮断機ＣＢＨを配置するものとする。
　【００５２】
　さらに、図２の高圧負荷演算制御装置γ１に対し制御器ＣＶを取り付けた例について図３に示す制御器ＣＶ、押しボタンスイッチＳＷの構成図と、図４の高圧負荷演算制御装置γ２の構成に係る単線結線図を用いてその構成内容を説明する。
　【００５３】
　図３は、抵抗体バンクα１〜α７にそれぞれ介設された低圧開閉器ＣＬ又は高圧開閉器ＣＨに対し、ＯＮ／ＯＦＦのディジタル信号を転送する制御器ＣＶ及び制御器ＣＶと接続して負荷制御値の値を設定する押しボタンスイッチＳＷの構成図である。
　【００５４】
　同図に示すように、制御器ＣＶは、負荷の目標値とする負荷制御値を制御器ＣＶ内に記憶する制御値記憶演算回路ＭＣと、負荷制御値を視覚的に検分可能なデジタル数値でメモリ表示する制御値計測器ＭＶと、制御値記憶演算回路ＭＣに記憶された負荷制御値と各等級の抵抗体バンクαの電力容量との比較演算を自動的に繰り返しながら、負荷制御値に最も近い値を算出する抵抗体バンクα１〜α７のＯＮ／ＯＦＦの選択的組合せを導き出し、実際に抵抗体バンクα１〜７にＯＮ／ＯＦＦのディジタル信号として転送出力制御する比較演算転送回路ＯＣとを具備する。それに加え、図示しないボタン又はスイッチを比較演
算を開始するトリガとして用いてもよい。」（段落【００５０】〜【００５４】）
　
（キ）「【００５７】
　（方法例）
　次に、本方法例として、上記装置例で述べたＮｏ１〜７までの抵抗体バンクに介設する開閉器、制御器を用いた各抵抗体バンクの電力容量と、負荷の目標値とする負荷制御値とを比較し、最も負荷制御値に近い値を算出することによりに自動的に各抵抗対バンクのＯＮ／ＯＦＦの制御を行う高圧負荷演算制御方法の一連の処理手順を説明する。
【００５８】
　まず、負荷特性試験を行う前に、制御器ＣＶに接続した押しボタンスイッチＳＷをのＵＰ／ＤＯＷＮボタンを押しながら値を増加／減少方向に変化させ、目標値とする負荷制御値を設定する。このとき、押しボタンスイッチＳＷのＵＰ／ＤＯＷＮボタンが押されるたびに、増加／減少方向への変更値は直接、制御器ＣＶにアナログ転送され、制御器ＣＶはＵＰ／ＤＯＷＮ信号を受け取る度に、負荷制御値を制御値記憶演算回路に保持し制御値計測器ＭＶに読み誤りの少ないデジタル表示する。従って、運転後は電力計Ｐの値と制御値計測器ＭＶの値とを目視確認して正常運転を確認し得る。
【００５９】
　負荷制御値の設定後、図示しないボタン又はスイッチにより比較演算の実行を促すと、制御値記憶演算回路ＭＣは比較演算転送回路ＯＣに設定した負荷制御値をアナログ転送する。
【００６０】
　比較演算転送回路ＯＣは、制御値記憶演算回路ＭＣから負荷制御値を受け取ると、等級分割された各抵抗体バンクα１〜α７へのＯＮ／ＯＦＦディジタル信号として転送するために、比較演算を開始する。
【００６１】
　各抵抗体バンクα１〜α７に対応する比較演算転送回路ＯＣ内の第１から第７等級までの演算手順は、表２に示す通りであり、目標値とする負荷制御値をバンク容量の大きいほうから比較し、繰り返し演算をして加算することによって、負荷制御値の設定を行う。
【００６２】
　　【表２】（省略）
【００６３】
　まず、第２演算では、制御値（負荷制御値）とバンクＮｏ１、つまり２０００ｋｗの２分の１である１０００ｋｗとの大小の比較を行う。ここで、制御値の値が１０００ｋｗ以上である場合には、バンクＮｏ１の開閉器（図４の高圧開閉器）に対し、ＯＮのディジタル信号、反対に負荷制御値の値が１０００ｋｗに満たない場合はＯＦＦのディジタル信号を転送する。
【００６４】
　そして、ディジタル信号がＯＮのときは負荷制御値から２分の１の値を減算し、算出された値を残数値１として保持し、ＯＦＦ状態のときには制御値そのものを残数値１として保持して第２演算へアナログ転送する。
【００６５】
　以下、第２演算以降は第１演算と同様に、表２に示すようにＯＮ、ＯＦＦのディジタル信号を転送しながらバンクＮｏ１からバンクＮｏ７までのＯＮ／ＯＦＦの出力判断を行う。」（段落【００５７】〜【００６５】）
　
　上記記載（ア）ないし（キ）について検討する。
　
　上記記載（ア）には、５００ｋｗのバンクに常温でスイッチを入れると、金属抵抗体の温度係数により時間の経過とともに収束する旨が記載されており、抵抗体バンクの収束については認識されていたことがうかがえる。
　
　上記記載（イ）によると、本発明の解決すべき主要な目的として、負荷制御値算出を自動化し、負荷制御値に連続的に精度よく追従し、少量の開閉器のみで連続的に負荷を精度よく加減でき、その値を持続できる高圧負荷演算制御方法の実現が挙げられている。そして、上記記載（ウ）には、課題を解決するための手段として、負荷制御値と各等級の抵抗体バンクに割り振られた電力容量値を比較及び等級毎に減算しながら、負荷制御値の近似値を示す各抵抗体バンクＯＮ／ＯＦＦの組合せを導き出す旨の記載がある。
　上記記載（エ）には、少数の開閉器で連続かつ高精度な負荷の加減が、抵抗体バンクと比較転送演算回路を有する制御器の組合せにより可能となる旨の記載がある。
　したがって、上記記載（イ）ないし（エ）によると、負荷制御値への連続的な追従は、抵抗体バンクと比較転送演算回路を有する制御器の組合せで実現し、その組合せとは、具体的には、各抵抗体バンクＯＮ／ＯＦＦの組合せを指していると認められる。そして、ＯＮ／ＯＦＦの組合せにより得られるのは、そのような組合せの数に応じた、複数の抵抗値である。
　してみれば、上記記載（イ）ないし（エ）における、負荷制御値への「連続的」な「追従」も、各抵抗体のＯＮ／ＯＦＦの組合せから導かれる技術事項に基づくものであるから、当該記載における「連続的」な「追従」とは、各抵抗体の組合せによる抵抗値の値が目標とする負荷制御値へ、より精度良く近づくことを指していると認められる。
　　
　上記記載（オ）ないし（キ）には、本発明の最良形態である高圧負荷演算制御装置例及びこれに対応する高圧負荷演算制御方法について記載されている。そして、これらの記載によると、負荷制御を経時的に繰り返し行う思想は開示されておらず、単に負荷制御値の設定の中において、目標値とする負荷制御値をバンク容量の大きいほうから比較し、「繰り返し」演算をして加算することが記載されているにとどまると解するのが自然である。
　
　以上のように、上記記載（ア）ないし（キ）によると、抵抗体バンクの収束という経時的な現象については開示されていたと認められるものの、本件補正後の請求項１に係る発明の高圧負荷演算制御方法において、抵抗体バンクの収束という「経時的な」負荷制御値の変動に対して、自動的に抵抗体バンクのＯＮ／ＯＦＦの組合せを追従調整する技術思想までが開示されていたとは認められない。
　
　してみると、当初明細書等のすべての記載を総合することにより導かれる技術的事項は、「目標値とする負荷制御値と現在の負荷制御値との比較を行い、演算を逐次行うことにより、負荷制御値を連続的に追従調整し、高精度な負荷制御値を行う高圧負荷演算制御方法」にとどまるところ、本件補正により、「抵抗体バンクの収束にて変動する」負荷制御値を、「負荷試験中に」比較を行いつつ、演算を逐次「繰り返す」ことにより、高精度な負荷制御値を「維持する」、という新たな技術的事項が導入されることとなったものと認められる。
　
　なお、本願の原出願の当初明細書等の記載内容も、上記記載（ア）ないし（キ）と同じであり、本件補正は、本願の原出願の当初明細書等の記載を総合することにより導かれる技術的事項との関係においても、新たな技術的事項を導入するものである。
　
イ　請求人の主張
　本件補正に関して、請求人は、審判請求の理由の（３）本願発明が特許されるべき理由において、以下の（ア）ないし（ウ）のように述べている。
　
（ア）「本願発明の課題は、出願時の明細書の段落 
【００１６】 
に記載されているように、負荷試験中に、抵抗体バンクにスイッチを入れると時間の経過とともに収束方向へ向かうという金属抵抗体の特質から、目標となる負荷制御値を高い精度で維持することが困難な点であり、 
【００２２】 
〜 
【００２４】 
に記載のように負荷試験中においても実際の負荷制御値を目標値に近づけるように制御することが本願発明の目的である。 
　そこで本願発明では課題解決のために、負荷試験中においても、目標となる負荷制御値と実際の負荷制御値との誤差を検知し、その誤差に対応するために、制御器ＣＶを採用している。 
　出願時の明細書の段落 
【００５４】 
〜 
【００５７】 
に制御器ＣＶの具体的な技術内容が記載され、具体的な単線結線図が図３〜図５に表現されている。 
　制御器ＣＶは、目標となる負荷制御値を記憶する制御値記憶演算回路ＭＣ及び、現在の負荷制御値を視覚的に検分する制御値計測器ＭＶ並びに、現在の負荷制御値である抵抗体バンク群の電力容量と制御値記憶演算回路ＭＣに記憶された目標となる負荷制御値とを自動的に比較演算を繰り返しながら、目標となる負荷制御値に最も近い値を算出する抵抗体バンクの組み合わせを演算し、ＯＮ／ＯＦＦのディジタル信号にて転送する比較演算転送回路ＯＣと、から構成されている。 
　つまり、目標となる負荷制御値に一番近い抵抗体バンクαの各組み合わせを試験前に一度導き出すことはもちろんであるが、試験開始後、比較演算転送回路ＯＣは常に目標値の負荷制御値と実際の負荷制御値である抵抗体バンク群の電力容量を比較することにより、各抵抗体バンクαが収束した場合でも、即座に、現在の抵抗体バンクの電力容量の状況から、最も目標値に近い負荷制御値を算出するために第１から第Ｎまでの演算を繰り返し、適当な抵抗体バンクの組み合わせを導き出すことが可能となる。」
　
（イ）「本審判請求書と同時に提出する手続補正書の補正の根拠の明示をする。
　まず、請求項１においては、実際の負荷制御値が変動する原因が抵抗体バンクの収束にあることに限定し、「抵抗体バンクの収束にて変動する負荷制御値を連続的に追従調整する」と補正した。金属抵抗器の特質として負荷試験中に抵抗体バンクの値が収束することは当業者においては自明のことであるが、抵抗体バンクの値の変動によって負荷制御値が変動し、変動した抵抗体バンクの値から再度目標値に近い負荷制御値を導き出すという本願発明の特徴を強調するために、抵抗体バンクの収束を負荷制御値の変動の原因として限定した。 
　さらに、本願発明における比較演算が負荷試験中に実施されるものであること、また、制御手段（制御器ＣＶ）にて負荷試験中に、目標となる負荷制御値と実際の負荷制御値の比較をし、目標となる負荷制御値に最も近い抵抗体バンクαの組み合わせを常に導き出すという特徴を明確にするために請求項１に「アナログ転送するとともに、前記制御手段にて、負荷試験中に目標値とする負荷制御値と現在の負荷制御値との比較を行いつつ、前記第１から第Ｎまでの演算を逐次繰り返すことにより、高精度な負荷制御値を維持する」という記載を追加補正した。」
　
（ウ）「請求項１及び請求項５の補正は、出願時の明細書の段落 
 【００５５】 
　及び図３〜５に基づいて、上述した本願独自の特徴である、負荷試験中に、目標となる負荷制御値と実際の負荷制御値を比較しながら、実際の負荷制御値が抵抗体バンクの収束に影響なく目標となる負荷制御値に追従するという技術を請求項に盛り込んだ補正である。」
　
　また、本件補正は新規事項違反である旨の審尋に対する前記回答書において、請求人は以下の（エ）及び（オ）のように述べている。
　
（エ）「本願発明に係る出願時の明細書における［００１６］にあるように、金属抵抗器の特性として負荷試験中に抵抗体の値が収束傾向にある点が負荷試験実施の上での問題点の１つであり、また、段落［００１７］にあるように、収束により目標値より離れてしまった負荷制御値を、目標値に近づくように調整を行う場合、負荷装置近辺に調整作業を行う作業員が必要になるという点も解決すべき課題であります。」
　
（オ）「明細書に負荷試験中に連続的に追従するという直接的な記載はないものの、図４の単線結線図を見れば、本願発明は、負荷試験中も演算装置が稼働していることは自明であり、引用文献１及び２とは異なった効果をもたらすことは明らかであります。 
　本願発明の目的は、負荷試験中における精度の高い負荷制御値の設定であり、出願時の明細書に記載の装置構成や演算の手順及び図面に記載の配線図を見れば、本願発明において負荷試験実施中に、目標とする負荷制御値に実際の負荷制御値を近づけるために演算を繰り返していることは明らかであります。」
　
　上記（ア）ないし（オ）の記載内容を踏まえると、請求人は、上記補正箇所である「抵抗体バンクの収束にて変動する負荷制御値を連続的に追従調整する」及び「負荷試験中に目標値とする負荷制御値と現在の負荷制御値との比較を行いつつ、前記第１から第Ｎまでの演算を逐次繰り返すことにより、高精度な負荷制御値を維持する」旨の記載における、負荷制御値の連続的な追従調整や、演算の逐次繰り返しによる負荷制御値の維持は、負荷制御値の「経時的な」変化に対する、自動的な追従や維持として用いている旨を主張している。
　そして、本件補正の根拠となる当初明細書等の記載箇所として、段落【００１６】ないし【００１７】、段落【００２２】ないし【００２４】、及び段落【００５４】ないし【００５７】を挙げている。
　
　しかしながら、前記「２．（２）ア　当初明細書等の記載事項」で説示したとおり、段落【００１６】ないし【００１７】には抵抗体バンクの収束という経時現象に関する記述こそ認められるものの、段落【００２２】ないし【００２４】に記載された本願発明の目的には、抵抗体バンクの収束などの「経時的な」負荷制御値の変動に対して自動的に追従調整する旨の記載は無く、また、段落【００５４】ないし【００５７】に記載された発明を実施するための最良の形態においても、「経時的な」負荷制御値の変動に関する技術思想が開示されているとは認められない。
　したがって、審判請求書や回答書における請求人の主張は採用し得ない。
　
ウ　むすび
　以上のとおり、本件補正のうち特許請求の範囲の請求項１についてした補正は、当初明細書等の記載を総合することにより導かれる技術的事項との関係において、新たな技術的事項を導入するものであるから、本件補正は、当初明細書等の記載の範囲内においてしたものとはいえない。
　
　よって、本件補正は、平成１８年法律第５５号改正附則第３条第１項によりなお従前の例によるとされる同法による改正前の特許法第１７条の２第３項の規定に違反するものであるから、同法第１５９条第１項において読み替えて準用する同法第５３条第１項の規定により却下すべきものである。
　
（３）独立特許要件違反について
　以上のとおり、本件補正は新規事項違反を理由として却下すべきものであるが、本件補正後の発明に係る独立特許要件についても検討しておく。
　
　本件補正のうち特許請求の範囲の請求項５についてした補正は、前記「２．（１）イ」のとおりのものであるところ、この補正は、変動する負荷制御値を連続的に追従調整する構成において、負荷制御値の変動が、「抵抗体バンクの収束」によることを限定し、また、負荷制御値と抵抗体バンクの電力容量との比較、減算を行う第１から第Ｎに亙る逐次演算を実行する構成において、当該比較が「自動的に繰り返し」行われること、演算が「逐次」実行されることをそれぞれ限定したものであるから、特許請求の範囲の減縮を目的としたものである。
　そこで、本件補正後の請求項５に記載された発明（以下、「補正発明」という。）が特許出願の際独立して特許を受けることができるものであるかについて以下に検討する。
　
ア　補正発明について
　補正発明は、本件補正によって補正された明細書、特許請求の範囲及び図面の記載からみて、次のとおりのものであると認める。
　
「発電機の負荷特性試験に関して、抵抗体バンク群を複数に分割するに際し、全抵抗体の電力容量を比較演算で上位から下位等級に順次漸減算出された各抵抗体バンクに分割、割り当てし、設定目標とする負荷制御値の近似値をとるため上位から下位等級に亙り順次前記各抵抗体バンクのＯＮ／ＯＦＦの組合せを自動的に選択して加減算出することにより、抵抗体バンクの収束にて変動する負荷制御値を連続的に追従調整する高圧負荷演算制御装置であって、
　電源装置に接続した電力ケーブル端に並列接続した抵抗体バンク
群
　当該抵抗体バンク群の各抵抗体バンクそれぞれに介接し、当該各抵抗体バンクのＯＮ／ＯＦＦの切換を行う開閉器と、
　設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクの前記電力容量との比較を自動的に繰り返し、減算を行う第１から第Ｎに亙る演算を逐次実行するとともに、当該演算にて算出されたディジタル信号を各対応する前記開閉器に転送して開閉実行する比較演算転送回路とを有する制御器と、
　前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチと、を具備し、
　高圧負荷環境下において、前記抵抗体バンク群内の下位電力容量を保持する複数の前記各抵抗体バンクに変圧器を介設し、当該変圧器を介設した当該各抵抗体バンクを低圧抵抗体バンク群とするとともに、当該低圧抵抗体バンク群のそれぞれの当該各抵抗体バンクに半導体開閉器を介設可能とする、
　ことを特徴とする、高圧負荷演算制御装置。」（ここで、「電力ケーブル端に並列接続した抵抗体バンクを２以上」との記載は、「電力ケーブル端に並列接続した抵抗体バンク群を２以上」の誤記と認め、上記のとおり認定した。また、下線は当審で付した。）
　
イ　引用例記載の事項・引用発明
　
（ア）原査定の拒絶の理由に引用され、本願の原出願の出願日前である平成１７年２月３日に頒布された刊行物である特開２００５−３３８６３号公報（以下、「引用例１」という。）には、「乾式高圧負荷システム装置及び同装置の連鎖断線・アーク放電防止方法」（発明の名称）に関し、次の事項ａないしｄが図１ないし２６とともに記載されている。
  
ａ「【発明の属する技術分野】
　本発明は、主に高圧発電装置の負荷特性試験に用いられる乾式高圧負荷システム装置及び同装置の連鎖断線・アーク放電防止方法に関する。」（段落【０００１】）
　
ｂ「乾式高圧負荷システム回路εとは、変圧器ＴＲの出力端を分岐複数並列した各開閉器Ｓ５〜Ｓ７にそれぞれ並列接続する３相抵抗体回路αａを複数並列組した小容量低圧抵抗回路βｂバンク１３Ｎｏ．５〜７の複数で構成する低圧バンクＬＢと、複数並列した各開閉器Ｓ１〜Ｓ４にそれぞれ並列接続する３相抵抗体回路αａを複数並列組した小容量高圧抵抗回路βａバンク１３Ｎｏ．１〜４の複数で構成する高圧バンクＨＢとを、主開閉器ＣＢを介して高圧発電装置Ｇに並列接続した電気回路システムを構築する。
【０１０６】
又、乾式高圧負荷システム回路εは、主開閉器ＣＢを中に挟んで片側の高圧発電装置Ｇ側電力ケーブルに電圧計Ｖを、かつ他片側の変圧器ＴＲ側電力ケーブルに過電流継電器ＯＣＲを介して電流計Ａを、相互並列に接続する一方、電流計Ａと電圧計Ｖに亙って電力計Ｗを渡結し、他方高圧発電装置Ｇと電圧計Ｖ間の電力ケーブルに地絡継電器ＧＲを接続する。」（段落【０１０５】〜【０１０６】）
　
ｃ「高圧バンクＨＢは、使用電圧６６００ｖでは、高圧抵抗体列相１０に例えば３８１ｖ，１．６７ｋｗの抵抗体素子１０本直列接続した３列をＹ結線した３相抵抗体回路αａとし、中性点Ｎを単独中性点とする。３相抵抗体回路αａの容量は、５０．１ｋｗになり１０組単位の小容量高圧抵抗回路βａのＲ，Ｓ，Ｔを配電線３３に並列接続すると５００ｋｗの１小容量構成バンク１３を構成することが出来る。小容量高圧抵抗回路βａ２５０ｋｗでは３相抵抗体回路αａ５組を並列接続する。
【０１０８】
低圧バンクＬＢは、３相抵抗体回路αｂを複数組並列接続して形成した小容量低圧抵抗回路βｂをそれぞれ例えば６２．５ｋｗ小容量構成バンク１３、又は１２５ｋｗ小容量構成バンク１３とし、２つの６２．５ｋｗ小容量構成バンク１３Ｎｏ．６〜７と１つの１２５ｋｗ小容量構成バンク１３Ｎｏ．５とを並列構成する。
【０１０９】
小容量高圧抵抗回路βａの小容量構成バンク１３Ｎｏ．１〜４と小容量構成低圧抵抗回路βｂの小容量構成バンク１３Ｎｏ．５〜７を収容する方形筒ボックス１２は、送風機２４軸の向きにより縦軸型と横軸型に区別でき、前者は方形筒ボックス１２を複数配置した大容量のもので、後者は小型の小容量に用いる。配列板１２ａ前面の４側を配線路Ｐとする。開閉器Ｓ１〜Ｓ７，主開閉器ＣＢと変圧器ＴＲ及び変成器類並びに制御盤とを外板（キュービクル）に収納した設置型を図９、車輌搭載型を図１０にそれぞれ示す。」（段落【０１０７】〜【０１０９】）
　
ｄ「（方法例１）
前記装置例１に適用する本発明の実施の形態を示す方法例１を説明する。
高圧発電装置Ｇの消費電力を加減するため粗調整には高圧バンクＨＢを用い、微調整には変圧器ＴＲを介した低圧バンクＬＢを用いる。即ち高圧発電装置Ｇから受け入れる電力は主開閉器ＣＢを経て高圧開閉器Ｓ１〜Ｓ４で高圧バンクＨＢの入り切りをし、高圧開閉器Ｓ１〜Ｓ４に並列接続した変圧器ＴＲの２次側出力の低圧開閉器Ｓ５〜Ｓ７は低圧バンクＬＢの入り切りをする。
【０１１６】
本方法例は、前記構造を有する抵抗体素子１群と各自孤立化した単独中性点Ｎを有するＹ結線した３相抵抗体回路αａ群を有する小容量高圧抵抗回路βａにおいて、抵抗体素子１の一つが断線してもその電気的悪影響は単独中性点Ｎ１止まりとなって所属する３相抵抗体回路αａ内におさまり、他の隣接する３相抵抗体回路αａに及ぶ連鎖断線を防止し得る。
【０１１７】
又、ある３相抵抗体回路αａの抵抗体素子１が万一、アーク放電や自然劣化により断線しても、放電耐性を有する構造も相俟って３相抵抗体回路αａ内の抵抗体列相１０間の抵抗体素子１同志のアーク放電も抑止され、しかも孤立化した単独中性点Ｎ１のおかげで並列する他の３相抵抗体回路αａの抵抗体素子１とのアーク放電も抑止され、他の３相抵抗体回路αａに連鎖断線が及ぶこともなく、安全で安定した運転制御が確保され信頼性の高い負荷試験が保証される。
【０１１８】
抵抗体素子１の採用とともに小容量高・低圧抵抗回路βａ，βｂのコンパクト化も相俟って二基の縦型方形筒ボックス１２内に高圧バンクＨＢと低圧バンクＬＢ総てを収容可能となり送風機２４も２台で済むことともなり、大幅なイニシアルペイメントとランニングコストを低減する経済性に富み、設置型では据付設置面積と容積が従来の１／３、車輌搭載型では車載車輌の小型化により現場までの通行道路の道幅に制約を受けなく機動性に高い。」（段落【０１１５】〜【０１１８】）
　
・上記記載ａから、
（ａ）「高圧発電装置の負荷特性試験」が読みとれる。
　
・上記記載ｂから、
（ｂ）「高圧バンクＨＢ及び低圧バンクＬＢをそれぞれ構成する小容量高圧抵抗回路βａバンク１３Ｎｏ．１〜４及び小容量低圧抵抗回路βｂバンク１３Ｎｏ．５〜７」が読みとれる。
　
・上記記載ｃから、
（ｃ）「高圧バンクＨＢは、５００ｋｗや２５０ｋｗの小容量構成バンク１３から構成され、低圧バンクＬＢは、１２５ｋｗや６２．５ｋｗの小容量構成バンク１３から構成される」構成が読みとれる。
　
・上記記載ｄから、
（ｄ）「消費電力を加減するため粗調整には高圧バンクＨＢを用い、微調整には変圧器ＴＲを介した低圧バンクＬＢを用いる」構成が読みとれる。
　
・上記記載ｄから、
（ｅ）「高圧発電装置Ｇから受け入れる電力は主開閉器ＣＢを経て高圧開閉器Ｓ１〜Ｓ４で高圧バンクＨＢの入り切りをし、高圧開閉器Ｓ１〜Ｓ４に並列接続した変圧器ＴＲの２次側出力の低圧開閉器Ｓ５〜Ｓ７は低圧バンクＬＢの入り切りをする」構成が読みとれる。
  　
・上記記載ａから、
（ｆ）「乾式高圧負荷システム装置」が読みとれる。
　
・上記記載ｂ及び図６から、
（ｇ）「高圧発電装置Ｇに接続した電力ケーブル端に並列接続した高圧バンクＨＢ及び低圧バンクＬＢ」が読みとれる。
　
・上記記載ｃから、
（ｈ）「高圧バンクＨＢ及び低圧バンクＬＢは、５００ｋｗ、２５０ｋｗ、１２５ｋｗ、６２．５ｋｗの各小容量構成バンク１３からなる」構成が読みとれる。
　
・上記記載ｂから、
（ｉ）「小容量高圧抵抗回路βａバンク１３Ｎｏ．１〜４及び小容量低圧抵抗回路βｂバンク１３Ｎｏ．５〜７から構成した高圧バンクＨＢ及び低圧バンクＬＢ」が読みとれる。
　
・上記記載ｄから、
（ｊ）「高圧バンクＨＢの小容量高圧抵抗回路βａバンク１３Ｎｏ．１〜４及び低圧バンクＬＢの小容量低圧抵抗回路βｂバンク１３Ｎｏ．５〜７の入り切りをそれぞれ行う高圧開閉器Ｓ１〜Ｓ４及び低圧開閉器Ｓ５〜Ｓ７」が読みとれる。
　
・上記記載ｄから、
（ｋ）「高圧発電装置Ｇの消費電力を加減するため粗調整には高圧バンクＨＢを用い、微調整には変圧器ＴＲを介した低圧バンクＬＢを用いるようにするための手段」が読みとれる。
　
・上記記載ｄから、
（ｌ）引用例１に記載のものは、「高圧発電装置Ｇの消費電力を加減するための何らかの切換え手段」を備えることが読みとれる。
　
・上記記載ｃから、「使用電圧６６００ｖ」が読みとれ、
　上記記載ｂから、「低圧バンクＬＢを構成する小容量低圧抵抗回路βｂバンク１３Ｎｏ．５〜７」が読みとれ、
　上記記載ｄから、「低圧バンクＬＢに変圧器ＴＲの出力端を接続し、当該変圧器ＴＲを接続した当該小容量低圧抵抗回路βｂバンク１３Ｎｏ．５〜７を低圧バンクＬＢとするとともに、当該低圧バンクＬＢのそれぞれの当該小容量低圧抵抗回路βｂバンク１３Ｎｏ．５〜７に低圧バンクＬＢの入り切りをする低圧開閉器Ｓ５〜Ｓ７を接続する」構成が読みとれることから、
上記記載ｂないしｄから、
（ｍ）「使用電圧６６００ｖにおいて、低圧バンクＬＢを構成する小容量低圧抵抗回路βｂバンク１３Ｎｏ．５〜７に変圧器ＴＲの出力端を接続し、当該変圧器ＴＲを接続した当該小容量低圧抵抗回路βｂバンク１３Ｎｏ．５〜７を低圧バンクＬＢとするとともに、当該低圧バンクＬＢのそれぞれの当該小容量低圧抵抗回路βｂバンク１３Ｎｏ．５〜７に低圧バンクＬＢの入り切りをする低圧開閉器Ｓ５〜Ｓ７を接続する」構成が読みとれる。
　
  以上の技術事項（ａ）ないし（ｍ）を総合勘案すると、引用例１には次の発明が記載されているものと認められる。
　
「高圧発電装置の負荷特性試験に関して、高圧バンクＨＢ及び低圧バンクＬＢをそれぞれ構成する小容量高圧抵抗回路βａバンク１３Ｎｏ．１〜４及び小容量低圧抵抗回路βｂバンク１３Ｎｏ．５〜７により、高圧バンクＨＢは、５００ｋｗや２５０ｋｗの小容量構成バンク１３から構成され、低圧バンクＬＢは、１２５ｋｗや６２．５ｋｗの小容量構成バンク１３から構成される、消費電力を加減するため粗調整には高圧バンクＨＢを用い、微調整には変圧器ＴＲを介した低圧バンクＬＢを用いることにより、高圧発電装置Ｇから受け入れる電力は主開閉器ＣＢを経て高圧開閉器Ｓ１〜Ｓ４で高圧バンクＨＢの入り切りをし、高圧開閉器Ｓ１〜Ｓ４に並列接続した変圧器ＴＲの２次側出力の低圧開閉器Ｓ５〜Ｓ７は低圧バンクＬＢの入り切りをする乾式高圧負荷システム装置であって、
　高圧発電装置Ｇに接続した電力ケーブル端に並列接続した高圧バンクＨＢ及び低圧バンクＬＢを、５００ｋｗ、２５０ｋｗ、１２５ｋｗ、６２．５ｋｗの各小容量構成バンク１３である小容量高圧抵抗回路βａバンク１３Ｎｏ．１〜４及び小容量低圧抵抗回路βｂバンク１３Ｎｏ．５〜７から構成した高圧バンクＨＢ及び低圧バンクＬＢと、
　高圧バンクＨＢの小容量高圧抵抗回路βａバンク１３Ｎｏ．１〜４及び低圧バンクＬＢの小容量低圧抵抗回路βｂバンク１３Ｎｏ．５〜７の入り切りをそれぞれ行う高圧開閉器Ｓ１〜Ｓ４及び低圧開閉器Ｓ５〜Ｓ７と、
　高圧発電装置Ｇの消費電力を加減するため粗調整には高圧バンクＨＢを用い、微調整には変圧器ＴＲを介した低圧バンクＬＢを用いるようにするための手段と、
　高圧発電装置Ｇの消費電力を加減するための何らかの切換え手段と、を具備し、
　使用電圧６６００ｖにおいて、低圧バンクＬＢを構成する小容量低圧抵抗回路βｂバンク１３Ｎｏ．５〜７に変圧器ＴＲの出力端を接続し、当該変圧器ＴＲを接続した当該小容量低圧抵抗回路βｂバンク１３Ｎｏ．５〜７を低圧バンクＬＢとするとともに、当該低圧バンクＬＢのそれぞれの当該小容量低圧抵抗回路βｂバンク１３Ｎｏ．５〜７に低圧バンクＬＢの入り切りをする低圧開閉器Ｓ５〜Ｓ７を接続する、
　乾式高圧負荷システム装置。」（以下、「引用発明１」という。）
　
（イ）同じく、原査定の拒絶の理由に引用され、本願の原出願の出願日前に頒布された刊行物である特開２０００−１６２２９１号公報（以下、「引用例２」という。）には、「負荷試験装置」（発明の名称）に関し、次の事項ａないしｈが図１ないし８とともに記載されている。
　
ａ「【発明の属する技術分野】本発明は負荷試験装置に係り、発電機の負荷試験装置に関する。」（段落【０００１】）
　
ｂ「【従来の技術】従来より、発電機に様々な試験負荷を与えて、発電機の発電性能を試験するために用いられる負荷試験装置は、通常、様々な抵抗値を有する多数の抵抗器が設けられている。発電機を試験する時には、その抵抗値の総和が試験対象の発電機に与える試験負荷値（抵抗値）と等しくなるように、これらの抵抗器を適宜選択して並列接続する。
【０００３】具体的には、これらの中から任意のものを選択して自在に並列接続できるように、各抵抗器を並列接続した回路を設け、この回路において各抵抗器に対応する電磁接触器を設け、さらに、各電磁接触器の開閉動作を制御する制御回路を設けている。くわえて、各電磁接触器を外部から開閉させるためのスイッチを各電磁接触器に対応して設けているので、これらのスイッチの操作により試験負荷値を形成するための抵抗器を選択できる。」（段落【０００２】〜【０００３】）
　
ｃ「【課題を解決するための手段】上記の目的を達成するために、本発明においては、発電機の出力電圧が印加される複数の抵抗器と、前記複数の抵抗器のうち少なくとも１つを選択的に前記発電機に接続して、前記発電機の試験負荷を生成する負荷回路と、を有する負荷試験装置において、
【０００９】前記発電機の定格電圧値および定格電力値と、試験電力値または試験電流値と、を入力可能とする入力手段と、入力された前記定格電圧値および前記定格電力値と、前記試験電力値または前記試験電流値と、から前記試験負荷を生成するのに必要な試験抵抗値を算出し、前記複数の抵抗器から前記試験抵抗値を生成するのに必要な前記抵抗器を選択するとともに、選択結果を信号として出力する演算手段と、前記信号の入力により前記抵抗値を生成するのに必要な前記抵抗器を負荷回路に接続する制御回路と、を有することを特徴とする負荷試験装置としたものである。
【００１０】なお、演算手段において試験負荷を生成するのに必要な抵抗器を選択するのについては、例えば、（１）基本となる特定の電圧を印加したときの各抵抗器の電力値をあらかじめデータとして記憶手段に記憶させる、
（２）必要な試験負荷の値を前記基本電圧印加時の値に換算する、（３）換算試験負荷と、記憶してある前記各抵抗器の電力値データとを比較し、（４）電力値データのうち、当該換算試験負荷値より小さく、かつ最も大きな値
のものを選択し、（５）当該換算試験負荷値と選択された電力値データとの差を求め、（６）この差と、記憶してある前記各抵抗器の電力値データとを比較し、（７）電力値データのうち、この差より小さく、かつ最も大きな値のものを選択し、（８）当該換算試験負荷値とこの差との差を新たに算出することを繰り返して行き、（９）新たに算出された差よりも、電力値データのいずれもが大きい状態になった時点で比較を終了し、（１０）選択された各電力値データに対応する抵抗器を試験負荷形成のためのものとして選択する方式とすることが望ましい。
【００１１】また、上記の負荷試験装置において、前記入力手段は、前記負荷試験装置の前記入力手段以外の部分に対して別体に設けてなることを特徴とするものである。なお、入力手段は、負荷試験装置の操作の利便性を向上するために、負荷試験装置の本体部を直接操作することを可能とする別の入力手段を当該本体部に設けることが望ましい。また、入力手段は、数値入力等の操作を容易にするために、タッチパネルを有するものとすることが望ましい。また、別体に設けられる入力手段から負荷試験装置本体に操作信号を送信する手段は、無線通信、または有線通信のいずれの手段でも良い。」（段落【０００８】〜【００１１】）
　
ｄ「【作用】本発明は上記のように、発電機の出力電圧が印加される複数の抵抗器と、前記複数の抵抗器のうち少なくとも１つを選択的に前記発電機に接続して、前記発電機の試験負荷を生成する負荷回路と、を有する負荷試験装置において、前記発電機の定格電圧値および定格電力値と、試験電力値または試験電流値と、を入力可能とする入力手段と、入力された前記定格電圧値および前記定格電力値と、前記試験電力値または前記試験電流値と、から前記試験負荷を生成するのに必要な試験抵抗値を算出し、前記複数の抵抗器から前記試験抵抗値を生成するのに必要な前記抵抗器を選択するとともに、選択結果を信号として出力する演算手段と、前記信号の入力により前記抵抗値を生成するのに必要な前記抵抗器を負荷回路に接続する制御回路と、を有する構成にしたので、定格電圧値および定格電力値と、試験電力値または試験電流値とを入力手段に入力すれば、演算手段が自動的に試験負荷値を算出し、さらに、その試験において使用する抵抗器を自動的に選択してその結果を出力し、制御回路が出力された信号にしたがって負荷試験に必要な抵抗器を選択することが可能となる。」（段落【００１３】）
　
ｅ「【発明の実施の形態】以下に本発明に係る負荷試験装置の具体的な実施形態を図面を参照して詳細に説明する。図１は、本発明の実施形態の概略の回路図である。また、図２は、本発明の実施形態の本体部を示す図であり、（１）はその正面図であり、（２）はその右側面図である。また、図３は、本発明の実施形態の入力部を示す図であり、（１）はその正面図であり、（２）はその右側面図である。また、図４は、本発明の実施形態の抵抗器部分の回路図である。さらに、図５は、タッチパネルの表示状態の変移を示す図であり、（１）〜（６）はその変移に沿って表示状態を示した図である。図６は、タッチパネルの表示状態の変移を示す図であり、（１）〜（８）はその変移を時系列に従って示す図である。また、図７は、試験負荷の生成に用いられる抵抗器の選択手順を示すフロー図である。さらに、図８は、試験条件の設定手順を示すフロー図である。
【００１７】本発明の実施形態に係る負荷試験装置は、大別して、図２に示す負荷試験装置の本体部２と、図３に示すところの、本体部２とは別体として設けられる入力部３と、からなっている。本体部２は、図２（１）、（２）に示すように、筐体に後述する抵抗器や各種回路等を収納したものになっており、また、その移動を容易にするためにキャスタ２１が設けられている。さらに、本体部２においても、後述する方法により、試験対象となる発電機への負荷の投入が可能である。
【００１８】また、入力部３は、図３（１）、（２）に示すように、小型の箱状のものであり、移動が容易で、載置場所等の選択も容易である。また、図２（１）に示すように、発電機の試験にかかるデータの入力手段としてのタッチパネル３１とプログラマブル・コントローラ１３とが設けられており、さらに、タッチパネル３１の筐体の背面には、本体部２と電気的に接続するためのコネクタ３２が設けられており、ケーブル（図示せず）を介して本体部２と接続される。さらに、後述するように、入力部３１を操作することにより、試験対象となる発電機と本体部との間の電路の開閉操作を行うこともできる。
【００１９】また、本体部２と入力部３との電気的構成は、図１に示すように、負荷試験装置１のタッチパネル３１には、タッチパネル３１から入力されたデータを処理する演算手段としてのプログラマブル・コントローラ１３が接続されており、さらに、プログラマブル・コントローラ１３には、電磁接触器や、本体部２を冷却する冷却用ファン４等の動作を制御する電磁接触器等の制御回路１１に接続されている。電磁接触器等の制御回路１１は、電磁接触器Ｍ１〜Ｍ８の動作を制御可能に接続されている。さらに、電磁接触器Ｍ１〜Ｍ８は、試験用負荷として投入される抵抗器群Ｒ１〜Ｒ８と試験対象発電機６とを接続する電路を開閉するように設けらている。なお、電磁接触器等の制御回路１１および冷却用ファン４の電源としては、単相１００Ｖ、５０／６０Ｈｚの商用電源である冷却用ファン及び制御回路用電源５を利用する。これは、試験対象発電機６の定格電圧、周波数等が特定せず、冷却用ファン及び制御回路用電源として用いるのに適さないので、別途電源を確保する必要があることによる。
【００２０】また、抵抗器群Ｒ１〜Ｒ８の詳細な構成については、図４に示すように、三相交流発電機に対応するために、１つの抵抗器群は３つの抵抗器から、例えば、Ｒ１の抵抗器群はＲｒ１、Ｒｓ１、Ｒｔ１の３つの抵抗器（１）からなっている。これらの抵抗器（１）Ｒｒ１、Ｒｓ１、Ｒｔ１を始め、抵抗器（８）Ｒｒ８、Ｒｓ８、Ｒｔ８までの８つの群の抵抗器は、それぞれ抵抗値が等しいものになされており、例えば、Ｒｒ１、Ｒｓ１、Ｒｔ１のそれぞれの抵抗値をｒ1、ｓ1、ｔ1とすると、
ｒ1＝ｓ1＝ｔ1
の関係になる。
【００２１】また、抵抗器（１）から抵抗器（８）までの抵抗器は、それぞれの抵抗値をｒ1、ｒ2、ｒ3、ｒ4、ｒ5、ｒ6、ｒ7、ｒ8とすると、
６４ｒ1＝３２ｒ2＝１６ｒ3＝８ｒ4＝４ｒ5＝４ｒ6＝２ｒ7＝ｒ8
の関係が成り立つ構成としている。したがって、例えば、ある試験電力値において、抵抗器群Ｒ１の負荷値が０．２５ｋｗであるとすると、Ｒ２は０．５ｋｗ、Ｒ３は１ｋｗ、Ｒ４は２ｋｗ、Ｒ５およびＲ６は４ｋｗ、Ｒ７は８ｋｗ、Ｒ８は１６ｋｗとなり、これらを適宜組み合わせることによって多様な負荷を生成することができる。
【００２２】なお、ｒ1、ｒ2、ｒ3、ｒ4、ｒ5、ｒ6、ｒ7、ｒ8の関係はこれに限られるものではなく、細かい負荷設定ができるように、異なる抵抗値を有する抵抗器を組み合わせたものであれば良い。さらに、抵抗器群の数も８つに限られるものではなく、例えば、さらに微細な負荷調整が必要であれば、それに応じて抵抗器群の数を増やしても良い。」（段落【００１６】〜【００２２】）
　
ｆ「そこで、以上述べた実施形態によれば、まず、タッチパネル３１から試験対象発電機６の定格電力値（定格負荷）と定格電圧値とを入力し、次に、試験電力値をこの定格電力値に対する百分率として入力すると、これらのデータ（数値）がプログラマブル・コントローラ１３に伝達される。プログラマブル・コントローラ１３は、これらのデータから負荷試験に必要な負荷抵抗値を計算し、さらに、投入すべき抵抗器群Ｒ１〜Ｒ８の中から、これらの抵抗器の抵抗値の合計と負荷抵抗値とが等しくなるものを選択する。次に、選択された抵抗器群と試験対象発電機６との間の電路を閉じるように、電磁接触器等の制御回路１１に信号を送る。信号を受けた電磁接触器等の制御回路１１は、電磁接触器Ｍ１〜Ｍ８の中から所定のものを作動させて電路を閉じる。これにより、試験に必要な抵抗器群と試験対象発電機６とが接続される。
【００２５】なお、試験電力値は、定格電力値に対する百分率として入力するのではなく、直接に試験電力値そのものを入力するものとしても良い。また、プログラマブル・コントローラ１３における試験負荷の生成に用いられる抵抗器の選択手順については、図７に示すように、例えば、試験対象発電機６の定格負荷値と試験電力値とから試験抵抗値を、負荷試験装置自体の定格電圧値である２０８Ｖ換算の負荷容量として算出する（Ｓ１１）。
【００２６】次に、試験抵抗値（必要負荷容量）より小さいことを条件として、抵抗器の抵抗値データのある負荷バンクの中から最も値の大きい負荷バンク値を選択し、これをメモリする（Ｓ１２）。次に、試験抵抗値から選択した負荷バンク値を差し引き、この差を残り負荷値とする（Ｓ１３）。
【００２７】残り負荷値と最小負荷バンク値とを比較し、残り負荷値が最小負荷バンク値よりも小さい場合は、Ｓ１５に行き、大きい場合はＳ１７に行く（Ｓ１４）。残り負荷値が最小負荷バンク値よりも小さい場合は、当該負荷バンク値に対応するすべての抵抗器の投入指令を電磁接触器等の制御回路１１に出力する（Ｓ１５）。
【００２８】投入指令を受けた電磁接触器等の制御回路１１は、電磁接触器Ｍ１〜Ｍ８の中から選択された抵抗器に対応するものを作動させ、抵抗器と試験対象発電機の間の電路を閉じる（Ｓ１６）。なお、残り負荷値が最小負荷バンク値よりも大きい場合は、選択されていない別の負荷バンク値のうち、残り負荷値より小さいことを条件として、最も値の大きい負荷バンク値を選択し、これをメモリする（Ｓ１７）。この場合、Ｓ１３に戻る。
【００２９】
　このようにして、Ｓ１４の条件を満たす負荷バンク値の選択を繰り返すことにより、必要な抵抗器の選択と投入が行われる。なお、ここで述べた選択手順は一例を示したものであり、試験抵抗値と等しい、あるいは許容される範囲において近似する抵抗値となる抵抗器またはその組み合わせを選択することが可能であるならば、他の手順によるものでも良い。」（段落【００２４】〜【００２９】）
　
ｇ「次に、タッチパネル３１による入力方法について説明する。まず、タッチパネル３１の表示については、図８に示すように、初期設定画面Ｓ２１から後述する試験の種別の選択が可能な試験種別選択画面Ｓ２２に遷移し、さらに試験条件設定画面Ｓ２３、基本条件設定画面Ｓ２４、詳細条件設定画面Ｓ２５、の条件設定が可能な画面に順次推移し、各種条件の設定が終わると、運転状態表示画面に切り替わる構成になっている。なお、各画面の構成は、以下の例のものに限られるものではなく、必要となる試験条件を入力できるならば、例えば、試験条件設定画面と基本条件設定画面とを一体にするなど、他の構成にしても良い。
【００３１】以下に、タッチパネル３１の操作について詳細に説明する。　まず、図５（１）に示す初期状態画面において、「実行」と表示された表示枠３４に先端に丸みのある細い物で接触する（以下、「接触する」とする）。次に、図５（２）に示す画面において、「試験条件（項目）」から実施する試験を選択する。以下に「試験条件（項目）」ごとに説明する。
【００３２】「１．負荷試験」に接触した場合は、図５（３）に示す画面に遷移する。そこで試験条件を設定するために「１．条件設定」の表示枠３４に接触する。これに接触すると、図５（４）に示す基本条件を設定する画面に遷移するので、試験対象発電機６の定格電圧値と定格電力値とを入力し、「実行」と表示された表示枠３４に接触する。なお、この画面の右側の空白部分には、テンキープレートが表示されているので、該当数字に接触するだけで、容易に数値を入力することができる。また、テンキープレートは、四角形で表した入力枠３３に接触することにより表示され、数値の入力後再度接触すると消える。（以下の各画面においても同様）
【００３３】「実行」と表示された表示枠３４に接触すると、図５（５）に示す詳細条件を設定する画面に遷移するので、ここで、定格電力値に対する試験負荷値（試験抵抗値）を百分率で表した数値を入力し、さらにその試験負荷を投入する時間（分）を入力する。なお、必要に応じて最大５つまでの試験負荷値とそれを投入する時間の設定ができる。これらの入力後に「実行」と表示された表示枠３４に接触する。
【００３４】次に、図５（６）に示す画面に遷移する。そこで、試験負荷の投入時間、百分率で表された試験負荷値とが表示された表示枠３４に接触し、続けて実行に接触する。これにより選択した試験負荷で運転が開始される。運転を一時停止する場合は「停止」と表示された表示枠３４に接触する。運転を再開する場合は、「運転」と表示された表示枠３４に接触する。別の試験負荷を投入する場合は、選択する試験負荷の投入時間と試験負荷値の百分率とが表示された表示枠３４に接触し、続けて実行に接触する。これにより瞬時に試験負荷が切り替わる。」（段落【００３０】〜【００３４】）
）
　
ｈ「なお、入力手段ついては、試験に必要な諸条件を入力し、さらに数値の再入力したり、負荷試験装置の運転、停止などの操作ができ、入力値や負荷試験装置の運転状態を表示することが可能な構成であるならば、タッチパネルによるに代えて、例えば、パソコンにおいて用いられているようなディスプレイとキーボードやテンキーとを組み合わせたものとしても良い。
【００４４】また、タッチパネルの表示形態については、上記の実施形態のものに限られるものではなく、例えば、データ入力を容易にするためにデータの入力手段としてテンキーを別途設ける場合などは、タッチパネルにおいてはデータ入力以外の操作を行うのに対応するものにするなど、他の表示形態にしても良い。また、前述の実施形態においては、各試験において、発電機の定格電圧値および定格電力値と、試験電力値とを入力することにより、負荷試験に必要な条件設定をするものとしたが、試験電力値に代えて試験電流値を入力するものとしても良い。」（段落【００４３】〜【００４４】）
　
・上記記載ａから、
（ａ）「発電機の負荷試験」が読みとれる。
　
・上記記載ｅにおける、試験用負荷として投入される抵抗器群Ｒ１〜Ｒ８について、抵抗器（１）から抵抗器（８）までの抵抗器は、それぞれの抵抗値をｒ1、ｒ2、ｒ3、ｒ4、ｒ5、ｒ6、ｒ7、ｒ8とすると、６４ｒ1＝３２ｒ2＝１６ｒ3＝８ｒ4＝４ｒ5＝４ｒ6＝２ｒ7＝ｒ8の関係が成り立つ構成として、例えば、ある試験電力値において、抵抗器群Ｒ１の負荷値が０．２５ｋｗであるとすると、Ｒ２は０．５ｋｗ、Ｒ３は１ｋｗ、Ｒ４は２ｋｗ、Ｒ５及びＲ６は４ｋｗ、Ｒ７は８ｋｗ、Ｒ８は１６ｋｗとなり、これらを適宜組み合わせることによって多様な負荷を生成することができる旨の記載から、
（ｂ）「抵抗器群Ｒ１〜Ｒ８を構成する複数の抵抗器」及び、「比較演算で上位から下位等級に順次漸減された抵抗値を各抵抗器に割り当て」る構成が読みとれる。
　
・上記記載ｆにおける、プログラマブル・コントローラ１３における試験負荷の生成に用いられる抵抗器の選択手順の一例として、試験対象発電機６の定格負荷値と試験電力値とから試験抵抗値を、負荷試験装置自体の定格電圧値である２０８Ｖ換算の負荷容量として算出する旨の記載から、
（ｃ）「抵抗値を負荷容量として算出」する構成が読みとれる。
　
・上記記載ｃにおける、換算試験負荷と、記憶してある前記各抵抗器の電力値データとを比較して、換算試験負荷値と選択された電力値データとの差を求め、この差と、記憶してある前記各抵抗器の電力値データとを比較して、電力値データのうち、この差より小さく、かつ最も大きな値のものを選択し、当該換算試験負荷値とこの差との差を新たに算出することを繰り返して行き、新たに算出された差よりも、電力値データのいずれもが大きい状態になった時点で比較を終了し、選択された各電力値データに対応する抵抗器を試験負荷形成のためのものとして選択する記載と、
　上記記載ｄにおける、演算手段が自動的に試験負荷を算出し、さらに、その試験において使用する抵抗器を自動的に選択する旨の記載、及び、
　上記記載ｆにおける、試験抵抗値と等しい、あるいは許容される範囲において近似する抵抗値となる抵抗器またはその組み合わせを選択し、選択された抵抗器に対応する電磁接触器Ｍ１〜Ｍ８を作動させ、抵抗器と試験対象発電機の間の電路を閉じる旨の記載から、
（ｄ）「試験抵抗値と等しい、あるいは許容される範囲において近似する抵抗値となる抵抗器を上位から下位等級に順次自動的に選択し、選択された抵抗器と試験対象発電機の間の電路を閉じる」構成が読みとれる。
　
・上記記載ｅにおける、抵抗値が上位から下位等級に順次漸減された複数の抵抗器を組み合わせることによって、多様な負荷を生成でき、抵抗値の関係は、細かい負荷設定ができるように、異なる抵抗値を有する組み合わせたものであれば良いとして、さらに、抵抗器群の数も８つに限られるものではなく、例えば、さらに微細な負荷調整が必要であれば、それに応じて抵抗器群の数を増やしても良い旨の記載と、
　上記記載ｆにおける、試験抵抗値と等しい、あるいは許容される範囲において近似する抵抗値となる抵抗器またはその組み合わせを選択する旨の記載、及び、
　上記記載ｄにおける、演算手段が自動的に試験負荷を算出し、さらに、その試験において使用する抵抗器を自動的に選択する旨の記載から、
（ｅ）「試験抵抗値を連続的に追従調整する」構成が読みとれる。
　
・上記記載ｂには、負荷試験装置において、従来から抵抗器を並列接続する旨の記載があり、引用例の発明の実施形態の概略の回路図を示した図１においても、抵抗器は冷却用ファン及び制御回路用電源５にケーブルを介して並列接続されていることから、
（ｆ）「冷却用ファン及び制御回路用電源５にケーブルを介して並列接続された抵抗器群」の構成が読みとれる。
　
・上記記載ｅにおける、抵抗器（１）から抵抗器（８）までの抵抗器が、それぞれの抵抗値をｒ1、ｒ2、ｒ3、ｒ4、ｒ5、ｒ6、ｒ7、ｒ8とすると、６４ｒ1＝３２ｒ2＝１６ｒ3＝８ｒ4＝４ｒ5＝４ｒ6＝２ｒ7＝ｒ8の関係が成り立つ構成とする旨の記載から、
（ｇ）「上位から下位等級に順次漸減した抵抗値を割り当てられた抵抗器」の構成が読みとれる。
　
・上記記載ｅには、各抵抗器に対応する電気接触器が開示されていることから、
（ｈ）「抵抗器群Ｒ１〜Ｒ８と試験対象発電機８とを接続する電路を開閉する電磁接触器Ｍ１〜Ｍ８」が読みとれる。
　
・上記記載ｆにおいて、プログラマブル・コントローラ１３は、抵抗器の抵抗値データのある負荷バンクの中から最も値の大きい負荷バンク値をメモリする機能を有することから、
（ｉ）「プログラマブル・コントローラ１３は、抵抗器に接続されたメモリ機能を有する」構成が読みとれる。
　
・上記記載ｆにおいて、プログラマブル・コントローラ１３は、電磁接触器等の制御回路１１を介して各抵抗器に接続され、負荷試験に必要な抵抗値を計算することから、
（ｊ）「各抵抗器に接続されたプログラマブル・コントローラ１３は、負荷試験に必要な抵抗値を算出する」構成が読みとれる。
　
・上記記載ｆ及び図７から、プログラマブル・コントローラ１３は、試験抵抗値（必要負荷容量）より小さいことを条件として、抵抗器の抵抗値データのある負荷バンクの中から最も値の大きい負荷バンク値を選択し、これをメモリする（Ｓ１２）。次に、試験抵抗値から選択した負荷バンク値を差し引き、この差を残り負荷値とする（Ｓ１３）。残り負荷値と最小負荷バンク値とを比較し、残り負荷値が最小負荷バンク値よりも小さい場合は、Ｓ１５に行き、大きい場合はＳ１７に行く（Ｓ１４）。残り負荷値が最小負荷バンク値よりも小さい場合は、当該負荷バンク値に対応するすべての抵抗器の投入指令を電磁接触器等の制御回路１１に出力する（Ｓ１５）。投入指令を受けた電磁接触器等の制御回路１１は、電磁接触器Ｍ１〜Ｍ８の中から選択された抵抗器に対応するものを作動させ、抵抗器と試験対象発電機の間の電路を閉じる（Ｓ１６）。なお、残り負荷値が最小負荷バンク値よりも大きい場合は、選択されていない別の負荷バンク値のうち、残り負荷値より小さいことを条件として、最も値の大きい負荷バンク値を選択し、これをメモリする（Ｓ１７）。この場合、Ｓ１３に戻る、との構成を有することから、
（ｋ）「メモリ機能を有するプログラマブル・コントローラ１３は、負荷バンクの中から最も抵抗値の大きい負荷バンク値を選択し、試験抵抗値から選択した負荷バンク値を差し引き、選択されていない負荷バンク値の中から残り抵抗値よりも小さく、かつ最も大きいものを選択し、残り抵抗値から選択した負荷バンク値を差し引き、残り抵抗値が最小負荷バンク値よりも小さくなった場合には、当該負荷バンク値に対応するすべての抵抗器の投入指令を電磁接触器等の制御回路１１に出力する回路を有する」構成が読みとれる。
　
・上記記載ｇには、演算手段であるプログラマブル・コントローラ１３が、電磁接触器等の制御回路１１を介して各抵抗器に接続され、負荷試験に必要な抵抗値を計算すること、及び、プログラマブル・コントローラ１３にデータを入力するタッチパネル３１について、タッチパネル上で試験負荷値（試験抵抗値）を百分率で表した数値を入力する構成が記載され、
　上記記載ｆには、プログラマブル・コントローラ１３が、抵抗器の抵抗値データのある負荷バンクの中から最も値の大きい負荷バンク値をメモリする機能を有することが記載され、
　上記記載ｈには、入力手段として、試験に必要な諸条件を入力し、さらに数値の再入力などをするタッチパネルに代えて、ディスプレイとキーボードやテンキーとの組み合わせが例示されていることから、
（ｌ）「プログラマブル・コントローラ１３にメモリされた負荷試験に必要な抵抗値に対して、当該抵抗値などの数値を再入力するタッチパネル、又はキーボードやテンキー」が読みとれる。
　
・上記記載ｅにおける、電磁接触器Ｍ１〜Ｍ８は、試験用負荷として投入される抵抗器群Ｒ１〜Ｒ８と試験対象発電機６とを接続する電路を開閉するように設けられている旨の記載から、
（ｍ）「抵抗器群Ｒ１〜Ｒ８に電磁接触器Ｍ１〜Ｍ８を介設する」構成が読みとれる。
　
  以上の技術事項（ａ）ないし（ｍ）を総合勘案すると、引用例２には次の発明が記載されているものと認められる。
　
「発電機の負荷試験に関して、抵抗器群Ｒ１〜Ｒ８を構成する複数の抵抗器において、抵抗値を負荷容量として算出し、比較演算で上位から下位等級に順次漸減された抵抗値を各抵抗器に割り当てし、試験抵抗値と等しい、あるいは許容される範囲において近似する抵抗値となる抵抗器を上位から下位等級に順次自動的に選択し、選択された抵抗器と試験対象発電機の間の電路を閉じることにより、試験抵抗値を連続的に追従調整する負荷演算制御装置であって、
　冷却用ファン及び制御回路用電源５にケーブルを介して並列接続された抵抗器群であって、上位から下位等級に順次漸減された抵抗値を割り当てられた抵抗器と、
　抵抗器群Ｒ１〜Ｒ８と試験対象発電機８とを接続する電路を開閉する電磁接触器Ｍ１〜Ｍ８と、
　各抵抗器に接続されたメモリ機能を有し、負荷試験に必要な抵抗値を算出し、負荷バンクの中から最も抵抗値の大きい負荷バンク値を選択し、試験抵抗値から選択した負荷バンク値を差し引き、選択されていない負荷バンク値の中から残り抵抗値よりも小さく、かつ最も大きいものを選択し、残り抵抗値から選択した負荷バンク値を差し引くとともに、残り抵抗値が最小負荷バンク値よりも小さくなった場合に、当該負荷バンク値に対応するすべての抵抗器の投入指令を電磁接触器等の制御回路１１に出力する回路を有するプログラマブル・コントローラ１３と、
　プログラマブル・コントローラ１３にメモリされた負荷試験に必要な抵抗値に対して、当該抵抗値などの数値を再入力するタッチパネル、又はキーボードやテンキーと、を具備し、
　前記抵抗器群Ｒ１〜Ｒ８に電磁接触器Ｍ１〜Ｍ８を介設する、
　負荷演算制御装置。」（以下、「引用発明２」という。）
　
ウ　対比
　補正発明と引用発明１を比較する。
　
（ア）引用発明１における「高圧発電装置」、「負荷特性試験」、「容量」、「乾式高圧負荷システム装置」、「高圧発電装置Ｇ」、「電力ケーブル」、「並列接続」、「変圧器ＴＲ」、及び「低圧バンクＬＢ」は、それぞれ、
　補正発明における「発電機」、「負荷特性試験」、「電力容量」、「高圧負荷演算制御装置」、「電源装置」、「電力ケーブル」、「並列接続」、「変圧器」、及び「低圧抵抗体バンク群」に相当する。
  　
（イ）引用発明１における「高圧発電装置の負荷特性試験」は、補正発明における「発電機の負荷特性試験」に相当し、以下同様に、「高圧バンクＨＢ」又は「低圧バンクＬＢ」は、「抵抗体バンク群」に、「小容量構成バンク１３」又は「小容量低圧抵抗回路（βａ、βｂ）バンク１３」は、「抵抗体バンク」に、「高圧開閉器Ｓ１〜Ｓ４」又は「低圧開閉器Ｓ５〜Ｓ７」は、「開閉器」に、それぞれ相当する。
　
（ウ）引用発明１における高圧バンクＨＢ及び低圧バンクＬＢは、複数の小容量低圧抵抗回路から成っており、それらの抵抗回路の容量は上位から下位等級まで複数種類存在していることから、引用発明１においても、負荷容量である各抵抗回路には所定の負荷容量が割り当てられていると認められる。
　よって、上記相当関係（ア）、（イ）も踏まえると、引用発明１における高圧バンクＨＢ及び低圧バンクＬＢをそれぞれ構成する小容量高圧抵抗回路βａバンク１３Ｎｏ．１〜４及び小容量低圧抵抗回路βｂバンク１３Ｎｏ．５〜７により、高圧バンクＨＢは、５００ｋｗや２５０ｋｗの小容量構成バンク１３を構成され、低圧バンクＬＢは、１２５ｋｗや６２．５ｋｗの小容量構成バンク１３を構成され」る構成と、補正発明における「抵抗体バンク群を複数に分割するに際し、全抵抗体の電力容量を比較演算で上位から下位等級に順次漸減算出された各抵抗体バンクに分割、割り当て」る構成とは、引用発明１における高圧バンクＬＢ及び低圧バンクＬＢからなるバンク群が、５００ｋｗから６２．５ｋｗまでの算出された小容量構成バンク１３を有していることから、共に、「抵抗体バンク群を複数に分割するに際し、全抵抗体の電力容量を上位から下位等級に漸減算出された各抵抗体バンクに分割、割り当て」る構成である点で共通するといえる。
　
（エ）引用発明１における「消費電力を加減するため粗調整には高圧バンクＨＢを用い、微調整には変圧器ＴＲを介した低圧バンクＬＢを用いる」構成と、補正発明における「設定目標とする負荷制御値の近似値をとるため上位から下位等級に亙り順次前記各抵抗体バンクのＯＮ／ＯＦＦの組合せを自動的に選択して加減算出する」構成とは、引用発明１における粗調整や微調整が、具体的には小容量構成バンク１３につながる開閉器の開閉を行うことであるから、共に、「各抵抗体バンクのＯＮ／ＯＦＦの組合せを選択して加減算出する」構成である点で共通するといえる。
  
（オ）引用発明１における「高圧発電装置Ｇから受け入れる電力は主開閉器ＣＢを経て高圧開閉器Ｓ１〜Ｓ４で高圧バンクＨＢの入り切りをし、高圧開閉器Ｓ１〜Ｓ４に並列接続した変圧器ＴＲの２次側出力の低圧開閉器Ｓ５〜Ｓ７は低圧バンクＬＢの入り切りをする乾式高圧負荷システム装置」と、補正発明における「抵抗体バンクの収束にて変動する負荷制御値を連続的に追従調整する高圧負荷演算制御装置」とは、引用発明１における乾式高圧負荷システム装置が、高圧バンクＨＢや低圧バンクＬＢの調整を通じて消費電力を加減することであるから、共に、「負荷制御値を調整する高圧負荷演算制御装置」である点で共通するといえる。
　
（カ）引用発明１における「高圧発電装置Ｇに接続した電力ケーブル端に並列接続した高圧バンクＨＢ及び低圧バンクＬＢ」は、補正発明における「電源装置に接続した電力ケーブル端に並列接続した抵抗体バンク群」に相当するといえる。
　
（キ）引用発明１における「５００ｋｗ、２５０ｋｗ、１２５ｋｗ、６２．５ｋｗの小容量構成バンク１３である小容量高圧抵抗回路βａバンク１３Ｎｏ．１〜４及び小容量低圧抵抗回路βｂバンク１３Ｎｏ．５〜７から構成した高圧バンクＨＢ及び低圧バンクＬＢ」と、補正発明における「抵抗体バンク群を２以上（２〜Ｎ［Ｎは自然数］）に分割するため、当該抵抗体バンク群の全電力容量を上位から下位等級に順次漸減算出して分割割り当てした複数の抵抗体バンク」は、引用発明１における高圧バンクＨＢ及び低圧バンクＬＢが、２以上の容量が漸減する小容量構成バンク１３、小容量低圧抵抗回路から構成されていることから、共に、「抗体バンク群を２以上（２〜Ｎ［Ｎは自然数］）に分割するため、当該抵抗体バンク群の全電力容量を上位から下位等級に漸減算出して分割割り当てした複数の抵抗体バンク」である点で共通するといえる。
　
（ク）引用発明１における「高圧バンクＨＢの小容量高圧抵抗回路βａバンク１３Ｎｏ．１〜４及び低圧バンクＬＢの小容量低圧抵抗回路βｂバンク１３Ｎｏ．５〜７の入り切りをそれぞれ行う高圧開閉器Ｓ１〜Ｓ４及び低圧開閉器Ｓ５〜Ｓ７」は、これらの開閉器Ｓ１ないし開閉器Ｓ７が小容量構成バンク１３の入り切り加算の有無を制御することから、補正発明における「当該抵抗体バンク群の各抵抗体バンクそれぞれに介接し、当該各抵抗体バンクのＯＮ／ＯＦＦの切換を行う開閉器」に相当するといえる。
　
（ケ）引用発明１における「高圧発電装置Ｇの消費電力を加減するため粗調整には高圧バンクＨＢを用い、微調整には変圧器ＴＲを介した低圧バンクＬＢを用いるようにするための手段」と、補正発明における「設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクの前記電力容量との比較を自動的に繰り返し、減算を行う第１から第Ｎに亙る演算を逐次実行するとともに、当該演算にて算出されたディジタル信号を各対応する前記開閉器に転送して開閉実行する比較演算転送回路とを有する制御器」とは、引用発明１において、高圧バンクＨＢ及び低圧バンクＬＢに対して消費電力を加減するための調整を行う具体的な構成が、小容量構成バンクの入り切りをする開閉器の開閉を行うものであるから、共に、「開閉器を開閉実行する手段」である点で共通するといえる。
　
（コ）引用発明１における「高圧発電装置Ｇの消費電力を加減するための手段」と、補正発明における「前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチ」とは、引用発明１における高圧電源装置Ｇの消費電力量が、補正発明における負荷容量に対応する負荷の値であることから、共に、「負荷制御値を変更させる手段」である点で共通するといえる。
　
（サ）引用発明１における「使用電圧６６００ｖにおいて、低圧バンクＬＢを構成する小容量低圧抵抗回路βｂバンク１３Ｎｏ．５〜７に変圧器ＴＲの出力端を接続」する構成は、引用発明１における使用電圧６６００ｖは十分に高圧であり、また、低圧バンクＬＢは、高圧バンクＨＢと低圧バンクＬＢからなるバンク集合のうち、消費電力量の少ないバンク集合の部分に当たることから、補正発明における「高圧負荷環境下において、前記抵抗体バンク群内の下位電力容量を保持する複数の前記各抵抗体バンクに変圧器を介設」する構成に相当するといえる。
　
（シ）引用発明１における「変圧器ＴＲを接続した当該小容量低圧抵抗回路βｂバンク１３Ｎｏ．５〜７を低圧バンクＬＢとする」構成は、補正発明における「変圧器を介設した当該各抵抗体バンクを低圧抵抗体バンク群とする」構成に相当するといえる。
  　
（ス）引用発明１における「当該低圧バンクＬＢのそれぞれの当該小容量低圧抵抗回路βｂバンク１３Ｎｏ．５〜７に低圧バンクＬＢの入り切りをする低圧開閉器Ｓ５〜Ｓ７を接続する」構成と、補正発明における「当該低圧抵抗体バンク群のそれぞれの当該各抵抗体バンクに半導体開閉器を介設可能とする」構成とは、共に、「当該低圧抵抗体バンク群のそれぞれの当該各抵抗体バンクに開閉器を介設可能とする」点で共通するといえる。
　
　してみると、両者は、
（一致点）
「発電機の負荷特性試験に関して、抵抗体バンク群を複数に分割するに際し、全抵抗体の電力容量を上位から下位等級に漸減算出された各抵抗体バンクに分割、割り当てし、前記各抵抗体バンクのＯＮ／ＯＦＦの組合せを選択して加減算出することにより、負荷制御値を調整する高圧負荷演算制御装置であって、
　電源装置に接続した電力ケーブル端に並列接続した抵抗体バンク群を２以上（２〜Ｎ［Ｎは自然数］）に分割するため、当該抵抗体バンク群の全電力容量を上位から下位等級に漸減算出して分割割り当てした複数の抵抗体バンクと、
　当該抵抗体バンク群の各抵抗体バンクそれぞれに介接し、当該各抵抗体バンクのＯＮ／ＯＦＦの切換を行う開閉器と、
　当該開閉器を開閉実行する手段と、
　当該負荷制御値を変更させる手段と、を具備し、
　高圧負荷環境下において、前記抵抗体バンク群内の下位電力容量を保持する複数の前記各抵抗体バンクに変圧器を介設し、当該変圧器を介設した当該各抵抗体バンクを低圧抵抗体バンク群とするとともに、当該低圧抵抗体バンク群のそれぞれの当該各抵抗体バンクに開閉器を介設可能とする、
　高圧負荷演算制御装置。」で一致し、以下の点で相違する。
　
（相違点）
ａ　相違点１：各抵抗体バンクへの電力容量の分割、割り当てについて
　
　補正発明では全抵抗体の電気容量を、「比較演算」で上位から下位等級に「順次」漸減算出された各抵抗体バンクに分割、割り当てているのに対して、引用発明１における小容量抵抗回路の容量は、上位から下位等級に漸減しているものの、それらの容量を具体的にはどのように算出しているのか明らかではない点。
  　
ｂ　相違点２：負荷制御値の連続的な追従調整と制御器の具体的仕様について
　
　補正発明における高圧負荷演算制御装置は、「抵抗体バンクの収束にて変動する負荷制御値を連続的に追従調整する」機能を有し、そのために、「設定目標とする負荷制御値の近似値をとるため上位から下位等級に亙り順次」前記各抵抗体バンクのＯＮ／ＯＦＦの組合せを「自動的に」選択して加減算出し、「設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクの前記電力容量との比較を自動的に繰り返し、減算を行う第１から第Ｎに亙る演算を逐次実行するとともに、当該演算にて算出されたディジタル信号を各対応する前記開閉器に転送して開閉実行する比較演算転送回路とを有する制御器」を備えているのに対して、
　引用発明１の乾式高圧負荷システム装置は、「負荷制御値を調整する」機能は有しているものの、「抵抗体バンクの収束にて変動する」負荷制御値を「連続的に追従」調整することや、そのための制御器の具体的な構成については明らかではない点。
　
ｃ　相違点３：負荷制御値を変更するための具体的手段について
　
　補正発明では、「前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチ」とあるように、負荷制御値の変更手段として、ＵＰボタンとＤＯＷＮボタンを有する押しボタンスイッチを用いているのに対して、引用発明１においては、高圧発電装置Ｇの消費電力を加減するための何らかの切換え手段は備えているものの、その具体的な構成については必ずしも明らかではない点。
　　
ｄ　相違点４：下位電力容量を保持する抵抗体バンクへの開閉器の介設について
　
　補正発明では、「低圧抵抗体バンク群のそれぞれの当該各抵抗体バンクに半導体開閉器を介設可能とする」とあるように、抵抗体バンク群内の下位電力容量を保持する複数の前記各抵抗体バンクの開閉器として、特に半導体開閉器を介設可能としているのに対して、引用発明１における小容量低圧抵抗回路は、高圧バンクＨＢと低圧バンクＬＢのいずれも、単に開閉器を用いるとされているのみで、半導体開閉器を用いるか否かは明らかではない点。
　
エ　判断
　
（ア）相違点１及び相違点２について
  　
　相違点１と相違点２とを併せて検討する。
　発電機の負荷試験に関して、比較演算を通じて、上位から下位等級に順次漸減された抵抗値を、負荷容量として算出し、各抵抗器に割り当てることは、前記「イ（イ）」で説示したように、引用発明２として公知である。
　また、一般に、この種の発電機の試験のための抵抗器を用いた負荷特性試験機において、起動時の温度変化による抵抗器の抵抗値の変化に対応する必要があること、また、発電機の負荷試験機において、一定負荷運転中に負荷が変動した場合に自動的に負荷量を調整する必要があることは、いずれも、周知な技術課題である。このことは、例えば、本願の原出願の出願日前に頒布された刊行物である特開昭６２−２１９９０１号公報「発電機試験用抵抗体」（発明の名称）の、特に第１頁右欄第１７〜第２頁左上欄第２行、第２頁左上欄第１０行〜２０行、第３頁左上欄第２行〜右上欄第１行や、特開平７−２１８６０６号公報「自動負荷調整装置」（発明の名称）の、特に段落【００１２】〜【００１３】、【００２３】、実願昭５８−１５２６４０号（実開昭６０−５９９７９号）のマイクロフィルム「発電機試験用負荷調整装置」（考案の名称）の、特に第２頁第２０行〜第３頁第１０行、第７頁第２０行〜第８頁第１５行に開示されている。
　さらに、発電機の負荷試験に関して、試験抵抗値と等しい、あるいは許容される範囲において近似する抵抗値となる抵抗器を上位から下位等級に順次自動的に選択し、選択された抵抗器と試験対象発電機の間の電路を閉じることにより、試験抵抗値を連続的に追従調整する負荷演算制御装置であって、各抵抗器に接続されたメモリ機能を有し、負荷試験に必要な抵抗値を算出し、負荷バンクの中から最も抵抗値の大きい負荷バンク値を選択し、試験抵抗値から選択した負荷バンク値を差し引き、選択されていない負荷バンク値の中から残り抵抗値よりも小さく、かつ最も大きいものを選択し、残り抵抗値から選択した負荷バンク値を差し引くとともに、残り抵抗値が最小負荷バンク値よりも小さくなった場合に、当該負荷バンク値に対応するすべての抵抗器の投入指令を電磁接触器等の制御回路１１に出力する回路を有するプログラマブル・コントローラ１３を有する負荷演算制御装置も、前記「イ（イ）」で説示したように、引用発明２として公知である。
　
　そして、引用発明１も引用発明２も、共に、発電機の負荷（特性）試験という共通の技術分野に属し、負荷装置という同種の装置に関する発明である。
　
　してみれば、この種の発電機の試験の技術分野において、多様な負荷の生成や細かい負荷設定ができるようにしておき、起動時の温度変化による抵抗器の抵抗値の変動に対して、当該変動への追従調整を行うことは、上記したように周知な技術課題であるから、
　「圧発電装置Ｇの消費電力を加減するため粗調整には高圧バンクＨＢを用い、微調整には変圧器ＴＲを介した低圧バンクＬＢを用い」る引用発明１において、小容量構成バンクの容量の設定に際して、引用発明２のように、比較演算で上位から下位等級に順次漸減された抵抗値を算出し、小容量低圧抵抗回路βｂバンク１３Ｎｏ．５〜７及び小容量高圧抵抗回路βａバンク１３Ｎｏ．１〜４に適用することや、起動時の各バンクの温度変化による容量の変動に関して、小容量低圧抵抗回路の収束にて変動する容量を連続的に追従調整することを着想し、圧発電装置Ｇの消費電力を加減するための高圧バンクＨＢの粗調整や、低圧バンクＬＢの微調整に際して、小容量低圧抵抗回路の収束にて変動する容量を連続的に追従調整できるように、引用発明２に係るプログラマブル・コントローラ１３を導入することは、当業者ならば容易に想到し得たことである。
　
（イ）相違点３について
　
　一般に、設定値を変更するために、当該設定値を上げるためのＵＰボタンや、当該設定値を下げるためのＤＯＷＮボタンを有する押しボタンを使用することは、例示するまでもなく周知な技術である。
　
　してみれば、引用発明１において、圧発電装置Ｇの消費電力を加減するために、例えば、数値を再入力するための変更手段として、ＵＰボタンやＤＯＷＮボタンを備えた押しボタンを採用することは、当業者ならば適宜なし得たことである。
　
（ウ）相違点４について
　
　一般に、電磁接触器などの機械式のスイッチは開閉接点での消耗が激しいため、使用頻度の高いスイッチとしてサイリスタ等の半導体スイッチを採用することは、周知の技術事項といえる。この点については、例えば、原査定の拒絶の理由に引用された、特開２０００−３１２９７５号公報「プラズマアーク電源装置」（発明の名称）の、特に段落【０００６】に、消耗が激しい開閉接点の問題点を解決する技術として、無接点の半導体スイッチング素子が示され、また、同じく、特開２００２−２５２５５２号公報「半導体開閉器」（発明の名称）の、特に段落【０００６】に、金属接点を開閉する電磁接触器などの機械式接点は、接点の摩耗のために開閉頻度が制限される問題があり、そのために、半導体を用いた無接点開閉器が示されている。
　
　ここで、引用発明１においても、高圧バンクＨＢを構成する小容量高圧抵抗回路βａバンク１３Ｎｏ．１〜４の入り切りをする高圧開閉器Ｓ１〜Ｓ４と、低圧バンクＬＢを構成する小容量低圧抵抗回路βｂバンク１３Ｎｏ．５〜７の入り切りをする低圧開閉器Ｓ５〜Ｓ７が開閉器として設けられており、消費電力の加減に際して、粗調整には高圧バンクＨＢを用い、微調整には低圧バンクＬＢが用いられるところ、粗調整よりも微調整のほうが、その加減の調整に精度が要求され、その結果、開閉器の開閉頻度も高まることは明らかである。
  　
　してみれば、引用発明１においても、開閉頻度の高い低圧開閉器Ｓ５〜Ｓ７に関して、閉接点での消耗を軽減するため、前記周知の技術を採用して、半導体開閉器を用いることは当業者ならば適宜なし得たことである。
　
　また、補正発明の作用効果も、引用発明１及び引用発明２から当業者が予測可能なものであって、格別のものではない。
　
　よって、補正発明は、引用発明１及び引用発明２に基づいて当業者が容易に発明をすることができたものであるから、特許法第２９条第２項の規定により特許出願の際独立して特許を受けることができないものである。
　
オ　むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するものであるから、同法第１５９条第１項において読み替えて準用する同法第５３条第１項の規定により却下すべきものである。
　
３．本願発明について
　
　本件補正は前記のとおり却下されたので、本願の請求項１ないし１０に係る発明は、補正１によって補正された明細書、特許請求の範囲及び図面の記載からみて、その特許請求の範囲の請求項１ないし１０に記載された事項により特定されるとおりのものと認められるところ、その請求項５及び請求項１に係る発明は、それぞれ次のとおりである。
　
「【請求項５】
　発電機の負荷特性試験に関して、抵抗体バンク群を複数に分割するに際し、全抵抗体の電力容量を比較演算で上位から下位等級に順次漸減算出された各抵抗体バンクに分割、割り当てし、設定目標とする負荷制御値の近似値をとるため上位から下位等級に亙り順次前記各抵抗体バンクのＯＮ／ＯＦＦの組合せを自動的に選択して加減算出することにより、変動する負荷制御値を連続的に追従調整する高圧負荷演算制御装置であって、
　電源装置に接続した電力ケーブル端に並列接続した抵抗体バンク
群
　当該抵抗体バンク群の各抵抗体バンクそれぞれに介接し、当該各抵抗体バンクのＯＮ／ＯＦＦの切換を行う開閉器と、
　設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクと前記電力容量との比較、減算を行う第１から第Ｎに亙る逐次演算を実行するとともに、当該演算にて算出されたディジタル信号を各対応する前記開閉器に転送して開閉実行する比較演算転送回路とを有する制御器と、
　前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチと、を具備し、
　高圧負荷環境下において、前記抵抗体バンク群内の下位電力容量を保持する複数の前記各抵抗体バンクに変圧器を介設し、当該変圧器を介設した当該核抵抗体バンクを低圧抵抗体バンク群とするとともに、当該低圧抵抗体バンク群のそれぞれの当該各抵抗体バンクに半導体開閉器を介設可能とする、
　ことを特徴とする、高圧負荷演算制御装置。」（ここで、「電力ケーブル端に並列接続した抵抗体バンクを２以上」との記載は、「電力ケーブル端に並列接続した抵抗体バンク群を２以上」の誤記と認め、上記のとおり認定した。また、下線は当審で付した。以下、「本願発明１」という。）
　
「【請求項１】
　発電機の負荷特性試験に関して、抵抗体バンク群を複数に分割するに際し、全抵抗体の電力容量を比較演算より上位から下位等級に順次漸減算出された各抵抗体バンクに分割、割り当てし、設定目標とする値の近似値をとるため上位から下位等級に亙り順次前記各抵抗体バンクのＯＮ／ＯＦＦの組合せを自動的に調整して加減算することにより、変動する負荷制御値を連続的に追従調整する高圧負荷演算制御方法であって、
　まず、電源装置に電力ケーブルを介して並列接続された前記抵抗体バンク群を複数（２〜Ｎ［Ｎは自然数］）に分割した後、当該抵抗体バンク群の全最大電力容量を２進法に基づき、２分の１から２ｎ−１分の１に相当する電力容量の上位から下位等級に順次漸減算出された値を分割された第１から第Ｎの各抵抗体バンクに割り当て、
　次に、前記各抵抗体バンクに接続された制御手段で、目標値とする負荷制御値を設定後、当該制御手段内の比較演算転送回路内の第１の演算手段にて、当該第１の演算手段に対応する第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持するとともに第２の演算手段に残数値をアナログ転送し、前記第１の抵抗体バンクにＯＮ状態を示すディジタル信号を転送する一方、当該負荷制御値が当該電力容量以下であれば、当該負荷制御値を第２の演算手段にアナログ転送し、　
　以下、前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し次下位等級の演算手段に当該下位残数値をアナログ転送するとともに、当該各第２から第Ｎの演算手段に各対応した前記抵抗体バンクに対し、ＯＮ状態を示すディジタル信号を転送する一方、前記次上位等級から受け取った前記残数値又は前記負荷制御値が前記下位等級の抵抗体バンクの前記電力容量以下であれば、当該次上位等級から残数値を次下位等級残数値として次下位等級の演算手段にアナログ転送して逐次実施し、
　高圧負荷状態において、開閉頻度の高い抵抗体バンクに対し、変圧手段を用いて低圧に変換するとともに、低圧抵抗体バンク群内の特に小容量の抵抗体バンクに半導体開閉手段を介することにより、抵抗体バンクの負荷を軽減させる、
　ことを特徴とする、高圧負荷演算制御方法。」（以下、「本願発明２」という。）
　
（１）本願発明１について
　
　まず、本願発明１について検討する。
　
ア　引用例記載の事項・引用発明
　
（ア）引用例１記載の事項・引用発明１
　原査定の拒絶の理由に引用され、本願の原出願の出願日前に頒布された刊行物である引用例１「乾式高圧負荷システム装置及び同装置の連鎖断線・アーク放電防止方法」（発明の名称）に記載の事項、及び引用発明１は、前記「２．（３）イ　引用例記載の事項・引用発明（ア）」に記載したとおりである。
　
（イ）引用例２記載の事項・引用発明２
　原査定の拒絶の理由に引用され、本願の原出願の出願日前に頒布された刊行物である引用例２「負荷試験装置」（発明の名称）に記載の事項、及び引用発明２は、前記「２．（３）イ　引用例記載の事項・引用発明（イ）」に記載したとおりである。
　
イ　対比
　本願発明１は、前記「２．（３）ア　補正発明について」で検討した補正発明から、「変動する負荷制御値」についての限定事項である「抵抗体バンクの収束にて」、また、「比較演算転送回路」についての限定事項である「自動的に繰り返し」及び「（演算を）逐次（実行）」との発明特定事項を、それぞれ省いたものである。
　
　してみると、本願発明１と引用発明１との相違点は、以下のとおりである。
　
（相違点）
ａ　相違点１：各抵抗体バンクへの電力容量の分割、割り当てについて
  　
　本願発明１では全抵抗体の電気容量を、「比較演算」で上位から下位等級に「順次」漸減算出された各抵抗体バンクに分割、割り当てているのに対して、引用発明１における小容量抵抗回路の容量は、上位から下位等級に漸減しているものの、それらの容量を具体的にはどのように算出しているのか明らかではない点。
　
ｂ　相違点２：負荷制御値の連続的な追従調整と制御器の具体的仕様について
　
　本願発明１における高圧負荷演算制御装置は、「変動する負荷制御値を連続的に追従調整する」機能を有し、「設定目標とする負荷制御値の近似値をとるため上位から下位等級に亙り順次」前記各抵抗体バンクのＯＮ／ＯＦＦの組合せを「自動的に」選択して加減算出し、「設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクの前記電力容量との比較、減算を行う第１から第Ｎに亙る逐次演算を実行するとともに、当該演算にて算出されたディジタル信号を各対応する前記開閉器に転送して開閉実行する比較演算転送回路とを有する制御器」を備えているのに対して、
　引用発明１の乾式高圧負荷システム装置は、「負荷制御値を調整する」機能は有しているものの、「変動する」負荷制御値を「連続的に追従」調整することや、そのための制御器の具体的な構成については明らかではない点。
　
ｃ　相違点３：負荷制御値を変更するための具体的手段について
　
　本願発明１では、「前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチ」とあるように、負荷制御値の変更手段として、ＵＰボタンとＤＯＷＮボタンを有する押しボタンスイッチを用いているのに対して、引用発明１には、高圧発電装置Ｇの消費電力を加減するための何らかの切換え手段は備えているものの、その具体的な構成については必ずしも明らかではない点。
　　
ｄ　相違点４：演算制御対象の負荷の高低、及び下位電力容量を保持する抵抗体バンクへの変圧器及び半導体開閉器の介設について
　
　本願発明１では、「低圧抵抗体バンク群のそれぞれの当該各抵抗体バンクに半導体開閉器を介設可能とする」とあるように、抵抗体バンク群内の下位電力容量を保持する複数の前記各抵抗体バンクに開閉器として、特に半導体開閉器を介設可能としているのに対して、引用発明１における小容量低圧抵抗回路は、高圧バンクＨＢと低圧バンクＬＢのいずれも、単に開閉器を用いるとされているのみで、特に半導体開閉器を用いるか否かは明らかではない点。
　
ウ　判断
　
（ア）相違点１及び相違点２について
　
　相違点１と相違点２とを併せて検討する。
　まず、本願発明１における、「変動する負荷制御値を連続的に追従調整する」との記載の技術的意味について、補正１によって補正された明細書、特許請求の範囲及び図面（以下、「補正１明細書等」という。）に基づいて検討するに、この点に関連する明細書の記載は以下のとおりである。
　まず、発明が解決しようとする課題には、次のとおり記載されている。
　
ａ「【００２１】
　ここにおいて、本発明の解決すべき主要な目的は、次の通りである。
【００２２】
　即ち、本発明の第１の目的は、工業用水を使用せずに負荷制御値に連続的に精度よく追従し、その値を持続できる高圧負荷演算制御方法及び装置を提供せんとするものである。
【００２３】
　本発明の第２の目的は、少量の開閉器のみで連続的に負荷を精度よく加減でき、また開閉器数の減少により製造コストを下げ、整備性を向上させる高圧負荷演算制御方法及び装置を提供せんとするものである。
【００２４】
　本発明第３の目的は、負荷制御値算出を自動化で行うことにより、人手によるバンクの組合せ計算から解放できる高圧負荷演算制御方法及び装置を提供せんとするものである。」（段落【００２１】〜【００２４】）
　
　次に、補正１明細書等の発明の詳細な説明の課題を解決するための手段には、次のとおり記載されている。
　
ｂ「【００２６】
　本発明装置は、上記課題の解決に当たり、電源装置とを結ぶ電力ケーブルの途中に、電力計、地絡継電器、電圧計、電力計、電流計、主遮断機を具備させた負荷装置に接続する抵抗体バンクを複数（２〜Ｎ）に分割し、抵抗体バンク群の最大電力容量を２進数に基づき２分の１から２ｎ−１分の１に等級分割した電力容量を割り当て保持させた各抵抗体バンクに開閉器と制御器を介設し、当該制御器内には、負荷制御値を保持する制御値記憶演算回路と各等級の抵抗体バンクの電力容量値と上位等級で既に差引された負荷制御値を比較し、各抵抗体バンクに介設した開閉器に対してＯＮ／ＯＦＦ信号を転送する比較演算転送回路とを具備させる、高圧負荷演算制御手段を講じる特徴を有する。
【００２７】
　また、本発明方法は、負荷加減装置における抵抗体バンクを複数（２〜Ｎ）に等級分割しその抵抗体バンク群の全最大電力容量を２進数に基づいて２分の１から２ｎ−１分の１まで等級分割したものを、それぞれの抵抗体バンクに割り当て、制御値記憶演算回路よって設定された目標とする負荷制御値と各等級の抵抗体バンクに割り振られた電力容量値を比較演算転送回路によって比較及び等級毎に減算しながら、負荷制御値の近似値を示す各抵抗体バンクＯＮ／ＯＦＦの組合せを導き出す高圧負荷演算制御方法を講じる特徴を有する。」（段落【００２６】〜【００２７】）
　
　また、補正１明細書等の発明の詳細な説明の発明の効果には、次のとおり記載されている。
　
ｃ「【００３７】
　本発明によれば、抵抗体バンクと比較転送演算回路を有する制御器の組合せにより、少数の開閉器で連続かつ高精度な負荷の加減が可能となる。
【００３８】
　また、バンクの組合せの選択自動化により、負荷制御値設定の高精度化と時間短縮化が可能となるため、操作時間の短縮を図ることが可能となる。
【００３９】
　さらに、自動化により、デジタル電力計を見ながらの押釦スイッチ操作以外作業員が選択組合せ操作を行う必要がなくなるため、人為的ミス等の誤操作も解消されるという優れた効果を奏する。」（段落【００３７】〜【００３９】）
　
　さらに、補正１明細書等の発明の詳細な説明の発明を実施するための最良の形態には、次のとおり記載されている。
　
ｄ「【００５３】
　図３は、抵抗体バンクα１〜α７にそれぞれ介設された低圧開閉器ＣＬ又は高圧開閉器ＣＨに対し、ＯＮ／ＯＦＦのディジタル信号を転送する制御器ＣＶ及び制御器ＣＶと接続して負荷制御値の値を設定する押しボタンスイッチＳＷの構成図である。
　【００５４】
　同図に示すように、制御器ＣＶは、負荷の目標値とする負荷制御値を制御器ＣＶ内に記憶する制御値記憶演算回路ＭＣと、負荷制御値を視覚的に検分可能なデジタル数値でメモリ表示する制御値計測器ＭＶと、制御値記憶演算回路ＭＣに記憶された負荷制御値と各等級の抵抗体バンクαの電力容量との比較演算を自動的に繰り返しながら、負荷制御値に最も近い値を算出する抵抗体バンクα１〜α７のＯＮ／ＯＦＦの選択的組合せを導き出し、実際に抵抗体バンクα１〜７にＯＮ／ＯＦＦのディジタル信号として転送出力制御する比較演算転送回路ＯＣとを具備する。それに加え、図示しないボタン又はスイッチを比較演算を開始するトリガとして用いてもよい。」（段落【００５３】〜【００５４】）
　
ｅ「【００５７】
　（方法例）
　次に、本方法例として、上記装置例で述べたＮｏ１〜７までの抵抗体バンクに介設する開閉器、制御器を用いた各抵抗体バンクの電力容量と、負荷の目標値とする負荷制御値とを比較し、最も負荷制御値に近い値を算出することによりに自動的に各抵抗対バンクのＯＮ／ＯＦＦの制御を行う高圧負荷演算制御方法の一連の処理手順を説明する。
【００５８】
　まず、負荷特性試験を行う前に、制御器ＣＶに接続した押しボタンスイッチＳＷをのＵＰ／ＤＯＷＮボタンを押しながら値を増加／減少方向に変化させ、目標値とする負荷制御値を設定する。このとき、押しボタンスイッチＳＷのＵＰ／ＤＯＷＮボタンが押されるたびに、増加／減少方向への変更値は直接、制御器ＣＶにアナログ転送され、制御器ＣＶはＵＰ／ＤＯＷＮ信号を受け取る度に、負荷制御値を制御値記憶演算回路に保持し制御値計測器ＭＶに読み誤りの少ないデジタル表示する。従って、運転後は電力計Ｐの値と制御値計測器ＭＶの値とを目視確認して正常運転を確認し得る。
【００５９】
　負荷制御値の設定後、図示しないボタン又はスイッチにより比較演算の実行を促すと、制御値記憶演算回路ＭＣは比較演算転送回路ＯＣに設定した負荷制御値をアナログ転送する。
【００６０】
　比較演算転送回路ＯＣは、制御値記憶演算回路ＭＣから負荷制御値を受け取ると、等級分割された各抵抗体バンクα１〜α７へのＯＮ／ＯＦＦディジタル信号として転送するために、比較演算を開始する。
【００６１】
　各抵抗体バンクα１〜α７に対応する比較演算転送回路ＯＣ内の第１から第７等級までの演算手順は、表２に示す通りであり、目標値とする負荷制御値をバンク容量の大きいほうから比較し、繰り返し演算をして加算することによって、負荷制御値の設定を行う。
【００６２】
　　【表２】（省略）
【００６３】
　まず、第２演算では、制御値（負荷制御値）とバンクＮｏ１、つまり２０００ｋｗの２分の１である１０００ｋｗとの大小の比較を行う。ここで、制御値の値が１０００ｋｗ以上である場合には、バンクＮｏ１の開閉器（図４の高圧開閉器）に対し、ＯＮのディジタル信号、反対に負荷制御値の値が１０００ｋｗに満たない場合はＯＦＦのディジタル信号を転送する。
【００６４】
　そして、ディジタル信号がＯＮのときは負荷制御値から２分の１の値を減算し、算出された値を残数値１として保持し、ＯＦＦ状態のときには制御値そのものを残数値１として保持して第２演算へアナログ転送する。
【００６５】
　以下、第２演算以降は第１演算と同様に、表２に示すようにＯＮ、ＯＦＦのディジタル信号を転送しながらバンクＮｏ１からバンクＮｏ７までのＯＮ／ＯＦＦの出力判断を行う。」（段落【００５７】〜【００６５】）
　
　上記記載ａないしｅについて検討する。
　
　上記記載ａによると、本発明の解決すべき主要な目的として、負荷制御値算出を自動化し、負荷制御値に連続的に精度よく追従し、少量の開閉器のみで連続的に負荷を精度よく加減でき、その値を持続できる高圧負荷演算制御方法の実現が挙げられている。そして、上記記載ｂには、課題を解決するための手段として、負荷制御値と各等級の抵抗体バンクに割り振られた電力容量値を比較及び等級毎に減算しながら、負荷制御値の近似値を示す各抵抗体バンクＯＮ／ＯＦＦの組合せを導き出す旨の記載がある。
　上記記載ｃには、少数の開閉器で連続かつ高精度な負荷の加減が、抵抗体バンクと比較転送演算回路を有する制御器の組合せにより可能となる旨の記載がある。
　したがって、上記記載ａないしｃによると、負荷制御値への連続的な追従は、抵抗体バンクと比較転送演算回路を有する制御器の組合せで実現し、その組合せとは、具体的には、各抵抗体バンクＯＮ／ＯＦＦの組合せを指していると認められる。そして、ＯＮ／ＯＦＦの組合せにより得られるのは、そのような組合せの数に応じた、複数の抵抗値である。
　してみれば、上記記載ａないしｃにおける、負荷制御値への「連続的」な「追従」も、各抵抗体のＯＮ／ＯＦＦの組合せから導かれる技術事項に基づくものであるから、当該記載における「連続的」な「追従」とは、各抵抗体の組合せによる抵抗値の値が目標とする負荷制御値へ、より精度良く近づくことを指していると認められる。
　　
　上記記載ｄ及びｅには、本発明の最良形態である高圧負荷演算制御装置例及びこれに対応する高圧負荷演算制御方法について記載されている。そして、これらの記載によると、負荷制御を経時的に繰り返し行う思想は開示されておらず、単に負荷制御値の設定の中において、目標値とする負荷制御値をバンク容量の大きいほうから比較し、「繰り返し」演算をして加算することが記載されているにとどまると解するのが自然である。
　
　以上のように、上記記載ａないしｅによると、本願発明１の高圧負荷演算制御方法において、「経時的な」負荷制御値の変動に対して、自動的に抵抗体バンクのＯＮ／ＯＦＦの組合せを追従調整する技術思想までが開示されていたとは認められない。
　してみると、上記記載ａないしｅの技術的意味は、変動する負荷制御値に対して、あるタイミングで、高圧負荷演算制御装置が有する各抵抗体の組合せによる抵抗値の値を、精度良く近づけて設定することであると認められる。
　
　次に、これまでの、本願発明１における「変動する負荷制御値を連続的に追従調整する」との記載の技術的意味についての認定を踏まえて、相違点１及び相違点２について、以下に検討する。　
　
　発電機の負荷試験に関して、抵抗値を負荷容量として算出し、比較演算を通じて、上位から下位等級に順次漸減された抵抗値を算出、各抵抗器に割り当てすることは、前記「２．（３）イ（イ）」で説示したように、引用発明２として公知である。
　また、発電機の負荷試験に関して、試験抵抗値と等しい、あるいは許容される範囲において近似する抵抗値となる抵抗器を上位から下位等級に順次自動的に選択し、選択された抵抗器と試験対象発電機の間の電路を閉じることにより、試験抵抗値を連続的に追従調整する負荷演算制御装置であって、各抵抗器に接続されたメモリ機能を有し、負荷試験に必要な抵抗値を算出し、負荷バンクの中から最も抵抗値の大きい負荷バンク値を選択し、試験抵抗値から選択した負荷バンク値を差し引き、選択されていない負荷バンク値の中から残り抵抗値よりも小さく、かつ最も大きいものを選択し、残り抵抗値から選択した負荷バンク値を差し引くとともに、残り抵抗値が最小負荷バンク値よりも小さくなった場合に、当該負荷バンク値に対応するすべての抵抗器の投入指令を電磁接触器等の制御回路１１に出力する回路を有するプログラマブル・コントローラ１３を有する負荷演算制御装置も、前記「イ」で説示したように、引用発明２として公知である。
　
　そして、引用発明１も引用発明２も、共に、発電機の負荷（特性）試験という共通の技術分野に属し、負荷装置という同種の装置に関する発明である。
　
　してみると、引用発明１の乾式高圧負荷システム装置において、変動する負荷制御値を連続的に追従調整するために、多様な負荷の生成や細かい負荷設定ができるよう、小容量構成バンクの容量の設定に際して、引用発明２のように、比較演算で上位から下位等級に順次漸減された抵抗値を算出し、小容量低圧抵抗回路βｂバンク１３Ｎｏ．５〜７及び小容量高圧抵抗回路βａバンク１３Ｎｏ．１〜４に適用することや、圧発電装置Ｇの消費電力を加減するための高圧バンクＨＢの粗調整や、低圧バンクＬＢの微調整に際して、変動する容量に精度良く追従調整できるように、引用発明２に係るプログラマブル・コントローラ１３を導入することは、当業者ならば容易に相当し得たことである。
　
（イ）相違点３について
　
　前記「２．（３）エ（イ）相違点３について」と同様の理由により、当業者ならば適宜なし得たことである。
　
（ウ）相違点４について
　
　前記「２．（３）エ（ウ）相違点４について」と同様の理由により、当業者ならば適宜なし得たことである。
　
エ　むすび
　したがって、本願発明１は、引用発明１及び引用発明２に基づいて当業者が容易に発明をすることができたものであるから、特許法第２９条第２項の規定により特許を受けることができないものである。
　
（２）本願発明２について
　
　次に、本願発明２についても検討しておく。
　
ア　引用例記載の事項・引用発明
　
（ア）引用例１記載の事項・引用発明３
　
　引用例１「乾式高圧負荷システム装置及び同装置の連鎖断線・アーク放電防止方法」（発明の名称）に記載された事項は、前記「２．（３）イ　引用例記載の事項・引用発明（ア）」に記載のａないしｄのとおりである。
  
・上記記載ａから、
（ａ）「高圧発電装置の負荷特性試験」が読みとれる。
　
・上記記載ｂから、
（ｂ）「高圧バンクＨＢ及び低圧バンクＬＢをそれぞれ構成する小容量高圧抵抗回路βａバンク１３Ｎｏ．１〜４及び小容量低圧抵抗回路βｂバンク１３Ｎｏ．５〜７」が読みとれる。
　
・上記記載ｃから、
（ｃ）「高圧バンクＨＢは、５００ｋｗや２５０ｋｗの小容量構成バンク１３を構成し、低圧バンクＬＢは、１２５ｋｗや６２．５ｋｗの小容量構成バンク１３を構成する」構成が読みとれる。
　
・上記記載ｄから、
（ｄ）「消費電力を加減するため粗調整には高圧バンクＨＢを用い、微調整には変圧器ＴＲを介した低圧バンクＬＢを用い」る構成が読みとれる。
　
・上記記載ｄから、
（ｅ）「高圧発電装置Ｇから受け入れる電力は主開閉器ＣＢを経て高圧開閉器Ｓ１〜Ｓ４で高圧バンクＨＢの入り切りをし、高圧開閉器Ｓ１〜Ｓ４に並列接続した変圧器ＴＲの２次側出力の低圧開閉器Ｓ５〜Ｓ７は低圧バンクＬＢの入り切りをする」構成が読みとれる。
　
・上記記載ａから、
（ｆ）「乾式高圧負荷システム装置を用いた方法」が読みとれる。
  　
・上記記載ｂ及び図６から、
（ｇ）「高圧発電装置Ｇに接続した電力ケーブル端に並列接続した高圧バンクＨＢ及び低圧バンクＬＢ」が読みとれる。
　
・上記記載ｃから、
（ｈ）「高圧バンクＨＢ及び低圧バンクＬＢを、５００ｋｗ、２５０ｋｗ、１２５ｋｗ、６２．５ｋｗの各小容量構成バンク１３から構成する」構成が読みとれる。
　
・上記記載ｂから、
（ｉ）「小容量高圧抵抗回路βａバンク１３Ｎｏ．１〜４及び小容量低圧抵抗回路βｂバンク１３Ｎｏ．５〜７から構成した高圧バンクＨＢ及び低圧バンクＬＢ」が読みとれる。
　
・上記記載ｄから、
（ｊ）「高圧発電装置Ｇの消費電力を加減するための何らかの制御手段を備え、粗調整には高圧バンクＨＢを用い、微調整には変圧器ＴＲを介した低圧バンクＬＢを用いて実施」する構成が読みとれる。
  　
・上記記載ｃから、「使用電圧６６００ｖ」が読みとれ、
　上記記載ｂから、「低圧バンクＬＢを構成する小容量低圧抵抗回路βｂバンク１３Ｎｏ．５〜７」が読みとれ、
　上記記載ｄから、「低圧バンクＬＢに変圧器ＴＲの出力端を接続し、当該変圧器ＴＲを接続した当該小容量低圧抵抗回路βｂバンク１３Ｎｏ．５〜７を低圧バンクＬＢとするとともに、当該低圧バンクＬＢのそれぞれの当該小容量低圧抵抗回路βｂバンク１３Ｎｏ．５〜７に低圧バンクＬＢの入り切りをする低圧開閉器Ｓ５〜Ｓ７を接続する」構成が読みとれることから、
上記記載ｂないしｄから、
（ｋ）「使用電圧６６００ｖにおいて、低圧バンクＬＢを構成する小容量低圧抵抗回路βｂバンク１３Ｎｏ．５〜７に変圧器ＴＲの出力端を接続し、当該変圧器ＴＲを接続した当該小容量低圧抵抗回路βｂバンク１３Ｎｏ．５〜７を低圧バンクＬＢとするとともに、当該低圧バンクＬＢのそれぞれの当該小容量低圧抵抗回路βｂバンク１３Ｎｏ．５〜７に低圧バンクＬＢの入り切りをする低圧開閉器Ｓ５〜Ｓ７を接続する」構成が読みとれる。
　
　以上の技術事項（ａ）ないし（ｋ）を総合勘案すると、引用例１には次の発明が記載されているものと認められる。
　
「発電機の負荷特性試験に関して、高圧バンクＨＢ及び低圧バンクＬＢをそれぞれ構成する小容量高圧抵抗回路βａバンク１３Ｎｏ．１〜４及び小容量低圧抵抗回路βｂバンク１３Ｎｏ．５〜７により、高圧バンクＨＢは、５００ｋｗや２５０ｋｗの小容量構成バンク１３を構成し、低圧バンクＬＢは、１２５ｋｗや６２．５ｋｗの小容量構成バンク１３を構成し、消費電力を加減するため粗調整には高圧バンクＨＢを用い、微調整には変圧器ＴＲを介した低圧バンクＬＢを用い、高圧発電装置Ｇから受け入れる電力は主開閉器ＣＢを経て高圧開閉器Ｓ１〜Ｓ４で高圧バンクＨＢの入り切りをし、高圧開閉器Ｓ１〜Ｓ４に並列接続した変圧器ＴＲの２次側出力の低圧開閉器Ｓ５〜Ｓ７は低圧バンクＬＢの入り切りをする乾式高圧負荷システム装置を用いた方法であって、
　まず、高圧発電装置Ｇに接続した電力ケーブル端に並列接続した高圧バンクＨＢ及び低圧バンクＬＢを、５００ｋｗ、２５０ｋｗ、１２５ｋｗ、６２．５ｋｗの小容量構成バンク１３である小容量低圧抵抗回路βｂバンク１３Ｎｏ．５〜７及び小容量高圧抵抗回路βａバンク１３Ｎｏ．１〜４に割り当て、
　高圧発電装置Ｇの消費電力を加減するための何らかの制御手段を備え、粗調整には高圧バンクＨＢを用い、微調整には変圧器ＴＲを介した低圧バンクＬＢを用いて実施し、
　使用電圧６６００ｖにおいて、低圧バンクＬＢを構成する小容量低圧抵抗回路βｂバンク１３Ｎｏ．５〜７に変圧器ＴＲの出力端を接続し、当該低圧バンクＬＢのそれぞれの当該小容量低圧抵抗回路βｂバンク１３Ｎｏ．５〜７に低圧バンクＬＢの入り切りをする低圧開閉器Ｓ５〜Ｓ７を接続する、
　乾式高圧負荷システム装置を用いた方法。」（以下、「引用発明３」という。）
　
（イ）　引用例２記載の事項・引用発明４
　引用例２「負荷試験装置」（発明の名称）に記載された事項は、前記「２．（３）イ　引用例記載の事項・引用発明（イ）」に記載のａないしｈのとおりである。　
　
・記載ａから、
（ａ）「発電機の負荷試験」が読みとれる。
　
・記載ｅにおける、試験用負荷として投入される抵抗器群Ｒ１〜Ｒ８について、抵抗器（１）から抵抗器（８）までの抵抗器は、それぞれの抵抗値をｒ1、ｒ2、ｒ3、ｒ4、ｒ5、ｒ6、ｒ7、ｒ8とすると、６４ｒ1＝３２ｒ2＝１６ｒ3＝８ｒ4＝４ｒ5＝４ｒ6＝２ｒ7＝ｒ8の関係が成り立つ構成として、例えば、ある試験電力値において、抵抗器群Ｒ１の負荷値が０．２５ｋｗであるとすると、Ｒ２は０．５ｋｗ、Ｒ３は１ｋｗ、Ｒ４は２ｋｗ、Ｒ５及びＲ６は４ｋｗ、Ｒ７は８ｋｗ、Ｒ８は１６ｋｗとなり、これらを適宜組み合わせることによって多様な負荷を生成することができる旨の記載から、
（ｂ）「抵抗器群Ｒ１〜Ｒ８を構成する複数の抵抗器」及び、「抵抗値が上位から下位等級に順次漸減された複数の抵抗器からなる抵抗器群Ｒ１〜Ｒ８」が読みとれる。
　
・記載ｆにおける、プログラマブル・コントローラ１３における試験負荷の生成に用いられる抵抗器の選択手順の一例として、試験対象発電機６の定格負荷値と試験電力値とから試験抵抗値を、負荷試験装置自体の定格電圧値である２０８Ｖ換算の負荷容量として算出する旨の記載から、
（ｃ）「試験抵抗値を負荷容量として算出」する構成が読みとれる。
　
・記載ｃにおける、換算試験負荷と、記憶してある前記各抵抗器の電力値データとを比較して、換算試験負荷値と選択された電力値データとの差を求め、この差と、記憶してある前記各抵抗器の電力値データとを比較して、電力値データのうち、この差より小さく、かつ最も大きな値のものを選択し、当該換算試験負荷値とこの差との差を新たに算出することを繰り返して行き、新たに算出された差よりも、電力値データのいずれもが大きい状態になった時点で比較を終了し、選択された各電力値データに対応する抵抗器を試験負荷形成のためのものとして選択する旨の記載と、
　記載ｄにおける、演算手段が自動的に試験負荷を算出し、さらに、その試験において使用する抵抗器を自動的に選択する旨の記載、及び、
　記載ｆにおける、試験抵抗値と等しい、あるいは許容される範囲において近似する抵抗値となる抵抗器またはその組み合わせを選択する旨の記載から、
（ｄ）「試験抵抗値と等しい、あるいは許容される範囲において近似する抵抗値となる抵抗器を自動的に選択し、選択された抵抗器に対応するものを作動させ、抵抗器と試験対象発電機の間の電路を閉じる」構成が読みとれる。
　
・記載ｅにおける、抵抗値が上位から下位等級に順次漸減された複数の抵抗器を組み合わせることによって多様な負荷を生成でき、抵抗値の関係は、細かい負荷設定ができるように、異なる抵抗値を有する組み合わせたものであれば良いとして、さらに、抵抗器群の数も８つに限られるものではなく、例えば、さらに微細な負荷調整が必要であれば、それに応じて抵抗器群の数を増やしても良い旨の記載と、
　記載ｆにおける、試験抵抗値と等しい、あるいは許容される範囲において近似する抵抗値となる抵抗器またはその組み合わせを選択する旨の記載、及び、
　記載ｄにおける、演算手段が自動的に試験負荷を算出し、さらに、その試験において使用する抵抗器を自動的に選択する旨の記載から、
（ｅ）「試験抵抗値を連続的に追従調整する」構成が読みとれる。
　
・記載ｂには、負荷試験装置において、従来より抵抗器を並列接続する旨の記載があり、本願発明の実施形態の概略の回路図を示した図１においても、抵抗器は冷却用ファン及び制御回路用電源５にケーブルを介して並列接続されていることから、
（ｆ）「冷却用ファン及び制御回路用電源５にケーブルを介して並列接続された抵抗器群」の構成が読みとれる。
　
・記載ｅにおける、抵抗器（１）から抵抗器（８）までの抵抗器が、それぞれの抵抗値をｒ1、ｒ2、ｒ3、ｒ4、ｒ5、ｒ6、ｒ7、ｒ8とすると、６４ｒ1＝３２ｒ2＝１６ｒ3＝８ｒ4＝４ｒ5＝４ｒ6＝２ｒ7＝ｒ8の関係が成り立つ構成とする旨の記載から、
（ｇ）「抵抗器群を構成する各抵抗器は、２進法に基づき、順次漸減した抵抗値を割り当てられている」構成が読みとれる。
　
・記載ｆにおいて、プログラマブル・コントローラ１３は、電磁接触器等の制御回路１１を介して各抵抗器に接続しており、また、負荷試験に必要な抵抗値を計算することから、
（ｈ）「各抵抗器に接続されたプログラマブル・コントローラ１３は、負荷試験に必要な抵抗値を算出する」構成が読みとれる。
　
・記載ｆより、プログラマブル・コントローラ１３は試験負荷を生成し、負荷値と負荷バンク値の比較という演算を行っていることから、プログラマブル・コントローラ１３は、演算手段と、そのための回路を有していると認められることから、
（ｉ）「プログラマブル・コントローラ１３の回路内の演算手段」という構成が読みとれる。
　
・記載ｆより、プログラマブル・コントローラ１３は、試験負荷を生成した後、試験抵抗値（必要負荷容量）より小さいことを条件として、抵抗器の抵抗値データのある負荷バンクの中から最も値の大きい負荷バンク値を選択し、これをメモリし、試験抵抗値から選択した負荷バンク値を差し引いて、この差を残り負荷値としていることから、
（ｊ）「最も値の大きい負荷バンクが保持する負荷バンク値と、試験抵抗値を比較し、当該試験抵抗値が当該負荷バンク値以上であれば、試験抵抗値から選択した負荷バンク値を差し引き、この差を残り負荷値としてメモリする」構成が認められる。
　
・記載ｆ及び図７から、プログラマブル・コントローラ１３は、試験抵抗値（必要負荷容量）より小さいことを条件として、抵抗器の抵抗値データのある負荷バンクの中から最も値の大きい負荷バンク値を選択し、これをメモリする（Ｓ１２）。次に、試験抵抗値から選択した負荷バンク値を差し引き、この差を残り負荷値とする（Ｓ１３）。残り負荷値と最小負荷バンク値とを比較し、残り負荷値が最小負荷バンク値よりも小さい場合は、Ｓ１５に行き、大きい場合はＳ１７に行く（Ｓ１４）。残り負荷値が最小負荷バンク値よりも小さい場合は、当該負荷バンク値に対応するすべての抵抗器の投入指令を電磁接触器等の制御回路１１に出力する（Ｓ１５）。投入指令を受けた電磁接触器等の制御回路１１は、電磁接触器Ｍ１〜Ｍ８の中から選択された抵抗器に対応するものを作動させ、抵抗器と試験対象発電機の間の電路を閉じる（Ｓ１６）。なお、残り負荷値が最小負荷バンク値よりも大きい場合は、選択されていない別の負荷バンク値のうち、残り負荷値より小さいことを条件として、最も値の大きい負荷バンク値を選択し、これをメモリする（Ｓ１７）。この場合、Ｓ１３に戻る、との構成を有することから、
（ｋ）「プログラマブル・コントローラ１３は、荷バンクの中から値の大きい負荷バンク値を選択し、試験抵抗値から選択した負荷バンク値を差し引き、選択されていない負荷バンク値の中から残り負荷値よりも小さく、かつ最も大きいものを選択し、残り負荷値から選択した負荷バンク値を差し引き、その値をメモリし、残り負荷値が最小負荷バンク値よりも小さくなった場合には、当該負荷バンク値に対応するすべての抵抗器の投入指令を電磁接触器等の制御回路１１に出力する」構成が読みとれる。
　
・記載ｅにおける、電磁接触器Ｍ１〜Ｍ８は、試験用負荷として投入される抵抗器群Ｒ１〜Ｒ８と試験対象発電機６とを接続する電路を開閉するように設けられている旨の記載から、
（ｌ）「抵抗器群Ｒ１〜Ｒ８に対し電磁接触器Ｍ１〜Ｍ８を介する」構成が読みとれる。
　
　以上の技術事項（ａ）ないし（ｌ）を総合勘案すると、引用例２には次の発明が記載されているものと認められる。
　
「高圧発電装置の負荷試験に関して、抵抗器群Ｒ１〜Ｒ８を構成する複数の抵抗器において、抵抗値を負荷容量として算出し、上位から下位等級に順次漸減された抵抗値を各抵抗器に割り当てし、試験抵抗値と等しい、あるいは許容される範囲において近似する抵抗値となる抵抗器を上位から下位等級に順次自動的に選択し、選択された抵抗器と試験対象発電機の間の電路を閉じる、試験抵抗値と等しい、あるいは許容される範囲において近似する抵抗値を設定する、試験抵抗値を連続的に追従調整する負荷演算制御方法であって、
　冷却用ファン及び制御回路用電源５にケーブルを介して並列接続された抵抗器群であって、抵抗器群を構成する各抵抗器は、２進法に基づき、順次漸減した抵抗値を割り当てられ、
　各抵抗器に接続されたプログラマブル・コントローラ１３は、負荷試験に必要な抵抗値を算出し、プログラマブル・コントローラ１３内の回路内の演算手段により、最も値の大きい負荷バンクが保持する負荷バンク値と、試験抵抗値を比較し、当該試験抵抗値が当該負荷バンク値以上であれば、試験抵抗値から選択した負荷バンク値を差し引き、この差を残り負荷値としてメモリし、負荷バンクの中から次に値の大きい負荷バンク値を選択し、試験抵抗値から選択した負荷バンク値を差し引き、その値をメモリし、選択されていない負荷バンク値の中から残り負荷値よりも小さく、かつ最も大きいものを選択し、残り負荷値から選択した負荷バンク値を差し引き、残り負荷値が最小負荷バンク値よりも小さくなった場合には、当該負荷バンク値に対応するすべての抵抗器の投入指令を電磁接触器等の制御回路１１に出力し、
　前記抵抗器群Ｒ１〜Ｒ８に対し電磁接触器Ｍ１〜Ｍ８を介する、
　負荷演算制御方法。」（以下、「引用発明４」という。）
　
イ　対比
　本願発明２と引用発明３を比較する。
　
（ア）前記「２．（３）ウ（ア）」で説示したと同様に、引用発明３における「高圧発電装置」、「負荷特性試験」、「容量」、「乾式高圧負荷システム装置を用いた方法」、「高圧発電装置Ｇ」、「電力ケーブル」、「並列接続」、「低圧開閉器Ｓ５〜Ｓ７」、及び「変圧器ＴＲ」は、それぞれ、
　本願発明２における「発電機」、「負荷特性試験」、「電力容量」、「高圧負荷演算制御方法」、「電源装置」、「電力ケーブル」、「並列接続」、「開閉手段」、及び「変圧手段」に相当する。
  
（イ）前記「２．（３）ウ（イ）」で説示したと同様に、引用発明３における「高圧発電装置の負荷試験」は、補正発明における「発電機の負荷特性試験」に相当し、以下同様に、「高圧バンクＨＢ」又は「低圧バンクＬＢ」は、「抵抗体バンク群」に、「小容量構成バンク１３」又は「小容量低圧抵抗回路（βａ、βｂ）バンク１３」は、「抵抗体バンク」に、それぞれ相当する。
　
（ウ）前記「２．（３）ウ（ウ）」で説示したと同様に、引用発明３における高圧バンクＨＢ及び低圧バンクＬＢは、複数の小容量低圧抵抗回路から成っており、それらの抵抗回路の容量は上位から下位等級まで複数種類存在していることから、引用発明３においても負荷容量である各抵抗回路には所定の負荷容量が割り当てられていると認められる。
　よって、上記相当関係（ア）、（イ）も踏まえると、引用発明３における「高圧バンクＨＢ及び低圧バンクＬＢをそれぞれ構成する小容量高圧抵抗回路βａバンク１３Ｎｏ．１〜４及び小容量低圧抵抗回路βｂバンク１３Ｎｏ．５〜７により、高圧バンクＨＢは、５００ｋｗや２５０ｋｗの小容量構成バンク１３を構成され、低圧バンクＬＢは、１２５ｋｗや６２．５ｋｗの小容量構成バンク１３を構成され」る構成と、本願発明２における「抵抗体バンク群を複数に分割するに際し、全抵抗体の電力容量を比較演算より上位から下位等級に順次漸減算出された各抵抗体バンクに分割、割り当て」る構成とは、引用発明３における高圧バンクＬＢ及び低圧バンクＬＢからなるバンク群が、５００ｋｗから６２．５ｋｗまでの算出された小容量構成バンク１３を有していることから、共に、「抵抗体バンク群を複数に分割するに際し、全抵抗体の電力容量を上位から下位等級に漸減算出された各抵抗体バンクに分割、割り当て」る構成である点で共通するといえる。
　
（エ）前記「２．（３）ウ（エ）」で説示したと同様に、引用発明３における「消費電力を加減するため粗調整には高圧バンクＨＢを用い、微調整には変圧器ＴＲを介した低圧バンクＬＢを用い」る構成と、本願発明２における「設定目標とする値の近似値をとるため上位から下位等級に亙り順次前記各抵抗体バンクのＯＮ／ＯＦＦの組合せを自動的に調整して加減算する」構成とは、引用発明３における粗調整や微調整が、具体的には小容量構成バンク１３につながる開閉器の開閉を行うことであるから、共に、「各抵抗体バンクのＯＮ／ＯＦＦの組合せを調整して加減算する」構成である点で共通するといえる。
　
（オ）前記「２．（３）ウ（オ）」で説示したと同様に、引用発明３における「高圧発電装置Ｇから受け入れる電力は主開閉器ＣＢを経て高圧開閉器Ｓ１〜Ｓ４で高圧バンクＨＢの入り切りをし、高圧開閉器Ｓ１〜Ｓ４に並列接続した変圧器ＴＲの２次側出力の低圧開閉器Ｓ５〜Ｓ７は低圧バンクＬＢの入り切りをする乾式高圧負荷システム装置を用いた方法」と、本願発明２における「変動する負荷制御値を連続的に追従調整する高圧負荷演算制御方法」とは、引用発明３における乾式高圧負荷システム装置を用いた方法が、高圧バンクＨＢや低圧バンクＬＢの調整を通じて消費電力を加減することであるから、共に、「負荷制御値を調整する高圧負荷演算制御方法」である点で共通するといえる。
　
（カ）前記「２．（３）ウ（カ）」で説示したと同様に、引用発明３における「高圧発電装置Ｇに接続した電力ケーブル端に並列接続した高圧バンクＨＢ及び低圧バンクＬＢ」は、本願発明２における「電源装置に電力ケーブルを介して並列接続された抵抗体バンク群」に相当するといえる。
  　
（キ）前記「２．（３）ウ（キ）」で説示したと同様に、引用発明３における「５００ｋｗ、２５０ｋｗ、１２５ｋｗ、６２．５ｋｗの小容量構成バンク１３である小容量高圧抵抗回路βａバンク１３Ｎｏ．１〜４及び小容量低圧抵抗回路βｂバンク１３Ｎｏ．５〜７に割り当て」る構成と、本願発明２における「抵抗体バンク群を複数（２〜Ｎ［Ｎは自然数］）に分割した後、当該抵抗体バンク群の全最大電力容量を２進法に基づき、２分の１から２ｎ−１分の１に相当する電力容量の上位から下位等級に順次漸減算出された値を分割された第１から第Ｎの各抵抗体バンクに割り当て」る構成とは、引用発明３における高圧バンクＨＢ及び低圧バンクＬＢが、２以上の小容量構成バンク１３、小容量低圧抵抗回路に漸減関係にある容量を割り当てることから、共に、「抵抗体バンク群を複数（２〜Ｎ［Ｎは自然数］）に分割した後、当該抵抗体バンク群の全最大電力容量を電力容量の上位から下位等級に順次漸減算出された値を分割された第１から第Ｎの各抵抗体バンクに割り当て」る点で共通するといえる。
  　
（ク）前記「２．（３）ウ（ケ）」で説示したと同様に、引用発明３における「高圧発電装置Ｇの消費電力を加減するため粗調整には高圧バンクＨＢを用い、微調整には変圧器ＴＲを介した低圧バンクＬＢを用いて実施」する構成と、本願発明２における「前記各抵抗体バンクに接続された制御手段で、目標値とする負荷制御値を設定後、当該制御手段内の比較演算転送回路内の第１の演算手段にて、当該第１の演算手段に対応する第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持するとともに第２の演算手段に残数値をアナログ転送し、前記第１の抵抗体バンクにＯＮ状態を示すディジタル信号を転送する一方、当該負荷制御値が当該電力容量以下であれば、当該負荷制御値を第２の演算手段にアナログ転送し、　
　以下、前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し次下位等級の演算手段に当該下位残数値をアナログ転送するとともに、当該各第２から第Ｎの演算手段に各対応した前記抵抗体バンクに対し、ＯＮ状態を示すディジタル信号を転送する一方、前記次上位等級から受け取った前記残数値又は前記負荷制御値が前記下位等級の抵抗体バンクの前記電力容量以下であれば、当該次上位等級から残数値を次下位等級残数値として次下位等級の演算手段にアナログ転送して逐次実施」する構成とは、引用発明３における調整が、高圧バンクＨＢ及び低圧バンクＬＢに対して、消費電力を加減するための調整を行うものであり、その調整の方法も、小容量高圧抵抗回路の入り切りをして、負荷制御値を制御するものであるから、共に、「負荷制御値を制御」する点で共通するといえる。
　
（ケ）前記「２．（３）ウ（サ）」で説示したと同様に、引用発明３における「使用電圧６６００ｖにおいて、低圧バンクＬＢを構成する小容量低圧抵抗回路βｂバンク１３Ｎｏ．５〜７に変圧器ＴＲの出力端を接続」する構成は、６６００ｖは十分に高圧であり、また、開閉頻度の高い低圧バンクＬＢを構成する小容量構成バンク１３は、変圧器ＴＲを介して、低圧の電圧を提供することから、本願発明２における「高圧負荷状態において、開閉頻度の高い抵抗体バンクに対し、変圧手段を用いて低圧に変換」する構成に相当するといえる。
　
（コ）前記「２．（３）ウ（ス）」で説示したと同様に、引用発明３における「当該低圧バンクＬＢのそれぞれの当該小容量低圧抵抗回路βｂバンク１３Ｎｏ．５〜７に低圧バンクＬＢの入り切りをする低圧開閉器Ｓ５〜Ｓ７を接続する」構成は、補正発明における「低圧抵抗体バンク群内の抵抗体バンクに開閉手段を介する」構成に相当するといえる。
　
　してみると、両者は、
（一致点）
「発電機の負荷特性試験に関して、抵抗体バンク群を複数に分割するに際し、全抵抗体の電力容量を比較演算より上位から下位等級に漸減算出された各抵抗体バンクに分割、割り当てし、前記各抵抗体バンクのＯＮ／ＯＦＦの組合せを調整して加減算することにより、負荷制御値を調整する高圧負荷演算制御方法であって、
　まず、電源装置に電力ケーブルを介して並列接続された前記抵抗体バンク群を複数（２〜Ｎ［Ｎは自然数］）に分割した後、当該抵抗体バンク群の全最大電力容量を電力容量の上位から下位等級に漸減算出された値を分割された第１から第Ｎの各抵抗体バンクに割り当て、
　負荷制御値を制御し、
　高圧負荷状態において、開閉頻度の高い抵抗体バンクに対し、変圧手段を用いて低圧に変換するとともに、低圧抵抗体バンク群内の抵抗体バンクに開閉手段を介する、
　高圧負荷演算制御方法。」で一致し、以下の点で相違する。
　
（相違点）
ａ　相違点１：　各抵抗体バンクへの電力容量の分割、割り当てについて
  　
　本願発明２では全抵抗体の電気容量を「比較演算」で上位から下位等級に「順次」漸減算出された各抵抗体バンクに分割、割り当てているのに対して、引用発明３における小容量抵抗回路の容量は、上位から下位等級に漸減しているものの、それらの容量を具体的にはどのように算出しているのか明らかではない点。
　
ｂ　相違点２：負荷制御値の連続的な追従調整と制御手段による制御について
　
　本願発明２における高圧負荷演算制御方法は、負荷制御値を制御するために、「各抵抗体バンクに接続された制御手段で、目標値とする負荷制御値を設定後、当該制御手段内の比較演算転送回路内の第１の演算手段にて、当該第１の演算手段に対応する第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持するとともに第２の演算手段に残数値をアナログ転送し、前記第１の抵抗体バンクにＯＮ状態を示すディジタル信号を転送する一方、当該負荷制御値が当該電力容量以下であれば、当該負荷制御値を第２の演算手段にアナログ転送し、　
　以下、前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し次下位等級の演算手段に当該下位残数値をアナログ転送するとともに、当該各第２から第Ｎの演算手段に各対応した前記抵抗体バンクに対し、ＯＮ状態を示すディジタル信号を転送する一方、前記次上位等級から受け取った前記残数値又は前記負荷制御値が前記下位等級の抵抗体バンクの前記電力容量以下であれば、当該次上位等級から残数値を次下位等級残数値として次下位等級の演算手段にアナログ転送して逐次実施」するのに対して、
　引用発明３は、負荷制御値を制御するための何らかの制御手段は備えているものの、その具体的な構成については明らかではない点。
　　
ｃ　相違点３：小容量の抵抗体バンクへの半導体開閉器の介設について
　
　本願発明２では、「低圧抵抗体バンク群内の特に小容量の抵抗体バンクに半導体開閉手段を介することにより、抵抗体バンクの負荷を軽減させる」とあるように、低圧抵抗体バンク群内の中でも、特に小容量の抵抗体バンクの開閉器として、特に半導体開閉器を介するのに対して、引用発明３における高圧バンクＨＢと低圧バンクＬＢは、いずれも、単に開閉器を用いるとされているのみで、特に半導体開閉器を用いるか否かは明らかではない点。
　
ウ　判断
　本願発明２と引用発明３の相違点について検討する。
　
（ア）相違点１及び相違点２について
　
　相違点１と相違点２とを併せて検討する。
　発電機の負荷試験に関して、比較演算で上位から下位等級に順次漸減された抵抗値を、負荷容量として各抵抗器に割り当てることは、前記「ア（イ）」で説示したように、引用発明４として公知である。
 また、一般に、この種の発電機の試験のための抵抗器を用いた負荷特性試験において、起動時の温度変化による抵抗器の抵抗値の変化に対応する必要があること、また、発電機の負荷試験機において、一定負荷運転中に負荷が変動した場合に自動的に負荷量を調整する必要があることは、いずれも、周知な技術課題である。このことは、例えば、本願の原出願の出願日前に頒布された刊行物である特開昭６２−２１９９０１号公報「発電機試験用抵抗体」（発明の名称）の、特に第１頁右欄第１７〜第２頁左上欄第２行、第２頁左上欄第１０行〜２０行、第３頁左上欄第２行〜右上欄第１行や、特開平７−２１８６０６号公報「自動負荷調整装置」（発明の名称）の、特に段落【００１２】〜【００１３】、【００２３】、実願昭５８−１５２６４０号（実開昭６０−５９９７９号）のマイクロフィルム「発電機試験用負荷調整装置」（考案の名称）の、特に第２頁第２０行〜第３頁第１０行、第７頁第２０行〜第８頁第１５行に開示されている。
　さらに、発電機の負荷試験に関して、試験抵抗値と等しい、あるいは許容される範囲において近似する抵抗値となる抵抗器を上位から下位等級に順次自動的に選択し、選択された抵抗器と試験対象発電機の間の電路を閉じることにより、試験抵抗値を連続的に追従調整する負荷演算制御装置であって、各抵抗器に接続されたメモリ機能を有し、負荷試験に必要な抵抗値を算出し、負荷バンクの中から最も抵抗値の大きい負荷バンク値を選択し、試験抵抗値から選択した負荷バンク値を差し引き、選択されていない負荷バンク値の中から残り抵抗値よりも小さく、かつ最も大きいものを選択し、残り抵抗値から選択した負荷バンク値を差し引くとともに、残り抵抗値が最小負荷バンク値よりも小さくなった場合に、当該負荷バンク値に対応するすべての抵抗器の投入指令を電磁接触器等の制御回路１１に出力する回路を有するプログラマブル・コントローラ１３を有する負荷演算制御方法は、前記「ア（イ）」で説示したように、引用発明４として公知である。
　
　そして、引用発明３も引用発明４も、共に、発電機の負荷（特性）試験という共通の技術分野に属し、負荷制御の方法に関する発明である。
 
　してみれば、この種の発電機の試験の技術分野において、多様な負荷の生成や細かい負荷設定ができるようにして、起動時の温度変化による抵抗器の抵抗値の変動に対して、当該変動への追従調整を行う必要があることは周知な技術課題であるから、「圧発電装置Ｇの消費電力を加減するため粗調整には高圧バンクＨＢを用い、微調整には変圧器ＴＲを介した低圧バンクＬＢを用い」る引用発明３において、起動時の各バンクの温度変化による容量の変動に対して行うように、本願発明２の様に、小容量低圧抵抗回路の収束にて変動する容量を連続的に追従調整することを着想し、小容量構成バンクの容量の設定に際して、引用発明４を適用して、比較演算で上位から下位等級に順次漸減された抵抗値を算出し、小容量低圧抵抗回路βｂバンク１３Ｎｏ．５〜７及び小容量高圧抵抗回路βａバンク１３Ｎｏ．１〜４に適用することや、発電装置Ｇの消費電力を加減するための高圧バンクＨＢの粗調整や低圧バンクＬＢの微調整に際して、小容量低圧抵抗回路の収束にて変動する容量を連続的に追従調整できるように、引用発明４に係るプログラマブル・コントローラ１３を導入することは、当業者ならば容易に想到し得たことである。
　
　加えて、電子回路は、当該電子回路の機能に応じて設計されるところ、引用発明４のプログラマブル・コントローラ１３内の回路内の演算手段は、負荷バンク毎に残り負荷値からの差し引きやメモリなどの演算処理を行っており、その機能は、本願発明２における比較演算転送回路内に設けられた第１から第Ｎまでの演算手段が回路全体として行う演算処理と同等である。そして、回路内の演算手段を処理対象に応じて複数設けることは、例示するまでもなく周知の技術であるから、引用発明４のプログラマブル・コントローラ１３内の回路内の演算手段においても、演算対象となる負荷バンク毎に演算手段を設け演算処理を行い、演算手段間で負荷値をアナログ転送することは、当業者ならば適宜なし得た設計事項に過ぎない。
　
　また、本願発明２において、各演算手段から抵抗体バンクへの信号の転送は、各演算手段がそれぞれ演算処理を終えた段階で「逐次」転送する構成としているが、これに関連して、本願明細書の段落【００６６】には、「第一演算から第七演算までの周期を約０．１秒以内に完了させることにより、ＯＮ／ＯＦＦ信号をほぼ同時に出力することが必要である。」との記載があり、当該記載からは、本願発明２においても、抵抗体バンクへの信号の転送は、逐次実施しつつも、全体として「ほぼ同時」に出力することの必要性が認められることから、抵抗体バンクへの信号の転送はほぼ同時に行われていると認められる。そして、引用発明４のプログラマブル・コントローラ１内の回路内に設けられた負荷バンク毎の演算手段も、抵抗器の選択を全て終えた段階で、選択された抵抗器と試験対象発電機との間の電路を閉じる構成を有していることから、選択された抵抗器と試験対象発電機との間の電路をほぼ同時に閉じていると認められる。
　したがって、引用発明４のプログラマブル・コントローラ１３と、本願発明２の制御手段は、いずれも、ほぼ同時に前記抵抗体バンクに対してＯＮ状態を示すディジタル信号を転送すると認められ、また、得られた信号の転送を、演算を終えた都度に行うか、あるいは、全ての演算を終えた後に行うかは、機能上、実質的に同じであると認められることから、転送タイミングの相違は、単なる設計上の問題に過ぎない事項である。
　してみれば、引用発明４における、プログラマブル・コントローラ１３内の回路内に設けられた演算手段において、各演算手段が、それぞれ演算処理を終えた段階で、ほぼ同時ながら、「逐次」転送する構成を採用することも、当業者ならば適宜なし得た設計事項に過ぎない。
  　
（イ）相違点３について
　前記「２．（３）エ（ウ）相違点４について」で説示したと同様に、一般に、電磁接触器などの機械式のスイッチは開閉接点での消耗が激しいため、使用頻度の高いスイッチとしてサイリスタ等の半導体スイッチを採用することは、周知の技術事項といえる。この点については、例えば、原査定の拒絶の理由に引用された、特開２０００−３１２９７５号公報「プラズマアーク電源装置」（発明の名称）の、特に段落【０００６】に、消耗が激しい開閉接点の問題点を解決する技術として、無接点の半導体スイッチング素子が示され、また、同じく、特開２００２−２５２５５２号公報「半導体開閉器」（発明の名称）の、特に段落【０００６】に、金属接点を開閉する電磁接触器などの機械式接点は、接点の摩耗のために開閉頻度が制限される問題があり、そのために、半導体を用いた無接点開閉器が示されている。
　
　ここで、引用発明３においても、高圧バンクＨＢを構成する小容量高圧抵抗回路βａバンク１３Ｎｏ．１〜４の入り切りをする高圧開閉器Ｓ１〜Ｓ４と、低圧バンクＬＢを構成する小容量低圧抵抗回路βｂバンク１３Ｎｏ．５〜７の入り切りをする低圧開閉器Ｓ５〜Ｓ７が開閉器として設けられているが、消費電力の加減に際して、粗調整には高圧バンクＨＢを用い、微調整には低圧バンクＬＢが用いられるところ、粗調整よりも微調整のほうが、その加減の調整に精度が要求され、その結果、開閉器の開閉頻度も高まることは明らかである。
  　
　してみれば、引用発明３においても、開閉頻度の高い低圧開閉器Ｓ５〜Ｓ７に関して、閉接点での消耗を軽減するため、前記周知の技術を採用して、半導体開閉器を用いることは当業者ならば適宜なし得たことである。
　
　また、本願発明２の作用効果も、引用発明３及び引用発明４から当業者が予測可能なものであって、格別のものではない。
　　
エ　むすび
　したがって、本願発明２は、引用発明３及び引用発明４に基づいて当業者が容易に発明をすることができたものであるから、特許法第２９条第２項の規定により特許を受けることができないものである。
　
（３）むすび
　以上のとおり、本願発明１（請求項５に係る発明）は、引用発明１及び引用発明２に基づいて当業者が容易に発明をすることができたものであり、また、本願発明２（請求項１に係る発明）は、引用発明３及び引用発明４に基づいて当業者が容易に発明をすることができたものであるから、いずれも、特許法第２９条第２項の規定により特許を受けることができない。
　
　したがって、他の請求項に係る発明について審理するまでもなく、本願は拒絶すべきものである。
　
　よって、結論のとおり審決する。